(57)【要約】【課題】端末の通信経路の効率化を図る。【解決手段】通信経路制御方法は、第１キャリアの端末を収容する第１キャリアの通信機器を第２キャリアのサービスエリアに配置し、情報処理装置が、端末が第２キャリアのサービスエリアでデータ通信を行う場合に第１キャリアのサービスエリアを経由することなく第２キャリアのサービスエリアを経由して外部網に至る端末の通信経路を形成する第１キャリアの通信機器を示す情報を記憶し、端末が第２キャリアのサービスエリアでデータ通信を行う場合に、記憶した第１キャリアの通信機器を示す情報の中から、端末に関係する鍵にて通信経路を制御する装置で使用される第１キャリアの通信機器を示す情報を検索することを含む。【選択図】図１５
2016103771.tif 000002
【特許請求の範囲】
【請求項１】
第１キャリアの端末を収容する前記第１キャリアの通信機器を前記第１キャリアのサービスエリア外にある第２キャリアのサービスエリアに配置し、
情報処置装置が、
前記端末が前記第２キャリアのサービスエリアでデータ通信を行う場合に前記第１キャリアのサービスエリアを経由することなく前記第２キャリアのサービスエリアを経由して外部網に至る前記端末の通信経路を形成する前記第１キャリアの通信機器を示す情報を記憶し、
前記端末が前記第２キャリアのサービスエリアでデータ通信を行う場合に、前記記憶した前記第１キャリアの通信機器を示す情報の中から、前記端末に関係する鍵にて前記通信経路を制御する装置で使用される前記第１キャリアの通信機器を示す情報を検索する、
ことを含む情報処理装置の通信経路制御方法。
【請求項２】
前記鍵を用いて前記端末に所定のネットワークサービスを提供する前記通信経路を形成する前記第１キャリアの通信機器を示す情報を検索する
請求項１に記載の情報処理装置の通信経路制御方法。
【請求項３】
前記装置から前記鍵を受信し、前記装置へ検索された前記第１キャリアの通信機器を示す情報を送信する
請求項１または２に記載の情報処理装置の通信経路制御方法。
【請求項４】
前記装置から受信される前記端末の識別子を用いて前記端末による前記第１キャリアの通信機器の使用可否を判定する
請求項１から３のいずれか１項に記載の情報処理装置の通信経路制御方法。
【請求項５】
前記端末の識別子を前記端末の加入者情報の管理装置に送信し、
前記管理装置から前記端末による前記第１キャリアの通信機器の使用可否を示す情報を受信する
請求項４に記載の情報処理装置の通信経路制御方法。
【請求項６】
前記端末の識別子と関連づけて予め記憶した前記端末の加入者情報に基づいて前記端末による前記第１キャリアの通信機器の使用可否を判定する
請求項４に記載の情報処理装置の通信経路制御方法。
【請求項７】
前記装置から前記端末の識別子と前記鍵とを受信し、
前記端末の識別子を用いて判定した前記第１キャリアの通信機器の使用可否の結果が使用可であるときに前記鍵を用いて検索した前記第１キャリアの通信機器を示す情報を前記装置へ送信する
請求項６に記載の情報処理装置の通信経路制御方法。
【請求項８】
前記情報処理装置内の前記装置へ検索された前記第１キャリアの通信機器を示す情報を供給する
請求項１または２に記載の情報処理装置の通信経路制御方法。
【請求項９】
前記第１キャリアの通信機器を示す情報として、前記通信経路を前記第２キャリアのサービスエリアに設けられた前記第１キャリアのサービス網に接続する第１の通信機器の情報を検索する
請求項１から８のいずれか１項に記載の情報処理装置の通信経路制御方法。
【請求項１０】
前記第１キャリアの通信機器を示す情報として、前記第１の通信機器に前記サービス網への接続を指示する第２の通信機器の情報を検索する
請求項９に記載の情報処理装置の通信経路制御方法。
【請求項１１】
前記第１キャリアの通信機器は、仮想ネットワーク機能である
請求項１から１０のいずれか１項に記載の情報処理装置の通信経路制御方法。
【請求項１２】
端末が加入した第１キャリアのサービスエリア外にある第２キャリアのサービスエリアに配置され且つ前記端末が前記第２キャリアのサービスエリアでデータ通信を行う場合に前記第１キャリアのサービスエリアを経由することなく前記第２キャリアのサービスエリアを経由して外部網に至る前記端末の通信経路を形成する前記第１キャリアの通信機器を示す情報を記憶する記憶装置と、
前記端末が前記第２キャリアのサービスエリアでデータ通信を行う場合に、前記記憶した前記第１キャリアの通信機器を示す情報の中から、前記端末に関係する鍵にて、前記通信経路を制御する装置で使用される前記第１キャリアの通信機器を示す情報を検索する制御装置と、
を含む情報処理装置。
【発明の詳細な説明】
【技術分野】
【０００１】
本発明は、通信経路制御方法、および情報処理装置に関する。
【背景技術】
【０００２】
携帯電話ネットワークの一つとして、３ＧＰＰ(3rd Generation Partnership Project)が規定している移動通信システムがある。例えば、３ＧＰＰで規定された移動通信システムの無線通信規格には、Wideband Code Division Multiple Access（Ｗ−ＣＤＭＡ），High-Speed Downlink Packet Access（ＨＤＳＰＡ），Long Term Evolution（ＬＴＥ），LTE-Advanced（ＬＴＥ−Ａ）などがある。
【０００３】
或る通信事業者（「キャリア」という）の加入者が、当該通信事業者のサービスエリア外で、提携先の他のキャリアのネットワークを用いて通信サービスを受けられるようにすることは「ローミング」と呼ばれている。
【０００４】
３ＧＰＰで規定されているローミング方式の一つとして、ホームルーテッド（home routed）と呼ばれる方式がある。ホームルーテッドでは、端末からのデータが提携先のキャ
リアのネットワーク（「在圏網（visited network)」という）から加入先のキャリアのネットワーク（「ホーム網（home network）」という）を経由するようにデータの通信経路が形成される。
【先行技術文献】
【特許文献】
【０００５】
【特許文献１】特表２０１１−５１１５１９号公報
【特許文献２】特開２００８−２８９１１０号公報
【発明の概要】
【発明が解決しようとする課題】
【０００６】
しかしながら、ホームルーテッドでは、データの通信経路が一旦ホーム網を経由するため、結果として非効率な通信経路が形成される可能性がある。
【０００７】
本発明の一態様は、第２キャリアのサービスエリアで通信を行う第１キャリアの端末の効率的な通信経路を形成し得る技術を提供することを目的とする。
【課題を解決するための手段】
【０００８】
本発明の一態様は、情報処置装置の通信経路制御方法である。この方法では、第１キャリアの端末を収容する第１キャリアの通信機器を第１キャリアのサービスエリア外にある第２キャリアのサービスエリアに配置し、情報処理装置が、端末が第２キャリアのサービスエリアでデータ通信を行う場合に第１キャリアのサービスエリアを経由することなく第２キャリアのサービスエリアを経由して外部網に至る前記端末の通信経路を形成する第１キャリアの通信機器を示す情報を記憶し、端末が第２キャリアのサービスエリアでデータ通信を行う場合に、記憶した第１キャリアの通信機器を示す情報の中から、端末に関係する鍵にて、通信経路を制御する装置で使用される第１キャリアの通信機器を示す情報を検索することを含む。
【発明の効果】
【０００９】
本発明の一態様によれば、第２キャリアのサービスエリアで通信を行う第１キャリアの端末の効率的な通信経路を形成することが可能となる。
【図面の簡単な説明】
【００１０】
【図１】図１は、３ＧＰＰの移動通信システムの一例であるＬＴＥ網の構成例を示す図である。
【図２】図２は、ＵＥが在圏網にホームルーテッドでローミングしたときのデータ通信経路を示す。
【図３】図３は、ローカルブレイクアウトにてＵＥがローミングするときのデータ通信経路を示す。
【図４】図４は、ローカルブレイクアウトの実施時におけるＰ−ＧＷの選択手順の説明図である。
【図５】図５は、第１キャリアのＰ−ＧＷおよびサービス網を第２キャリア網で仮想化した例を示す。
【図６】図６は、第１キャリアのＳ−ＧＷ，Ｐ−ＧＷおよびサービス網を第２キャリア網で仮想化した例を示す。
【図７】図７は、第２キャリア網に第１キャリアのネットワーク設備（ＶＮＦ）を配置しこれを用いた通信経路を形成させるためのシステム（通信経路の制御システム）の構成例を示す図である。
【図８】図８は、ＶＮＦ配備サーバ、運用システム、およびＶＮＦ選択サーバの機能ブロック構成例を示す図である。
【図９】図９は、保存部２３２で保存されるデータベース２３２Ａのデータ構造例を示す。
【図１０】図１０は、第１キャリアのＶＮＦを第２キャリアの局舎に配備し、ＶＮＦ選択サーバに配備済みのＶＮＦ情報が登録されるまでの流れを示す図である。
【図１１】図１１は、ＶＮＦ運用システムの変形例を示す図である。
【図１２】図１２は、Ｐ−ＧＷのＩＰアドレスを検索するためのデータベースのデータ構造例を示す。
【図１３】図１３は、Ｓ−ＧＷのＩＰアドレスを検索するためのデータベースのデータ構造例を示す。
【図１４】図１４は、ＶＮＦ選択サーバ２３として動作する情報処理装置（コンピュータ）のハードウェア構成例を示す図である。
【図１５】図１５は、運用例１のローミング手順を示すシーケンス図である。
【図１６】図１６は、運用例１の変形例である運用例１−１のシーケンス図である。
【図１７】図１７は、運用例２のローミング手順を示すシーケンス図である。
【図１８】図１８は、運用例２の変形例である運用例２−１のシーケンス図である。
【図１９】図１９は、運用例３のローミング手順を示すシーケンス図である。
【図２０】図２０は、運用例３の変形例である運用例３−１のシーケンス図である。
【図２１】図２１は、運用例４のローミング手順を示すシーケンス図である。
【図２２】図２２は、運用例４の変形例である運用例４−１のシーケンス図である。
【図２３】図２３は、運用例５のローミング手順を示すシーケンス図である。
【図２４】図２４は、運用例５の変形例である運用例５−１のシーケンス図である。
【図２５】図２５は、運用例５および運用例５−１の後におけるＵＥの移動時における手順を示すシーケンス図である。
【図２６】図２６は、運用例６のローミング手順を示すシーケンス図である。
【図２７】図２７は、運用例６の変形例である運用例６−１のシーケンス図である。
【図２８】図２８は、運用例６および運用例６−１の後におけるＵＥの移動時における手順を示すシーケンス図である。
【図２９】図２９は、運用例７のローミング手順を示すシーケンス図である。
【図３０】図３０は、運用例７の変形例である運用例７−１のシーケンス図である。
【図３１】図３１は、運用例７および運用例７−１の後におけるＵＥの移動時における手順を示すシーケンス図である。
【図３２】図３２は、運用例８のローミング手順を示すシーケンス図である。
【図３３】図３３は、運用例８の変形例である運用例８−１のシーケンス図である。
【図３４】図３４は、運用例８および運用例８−１の後におけるＵＥの移動時における手順を示すシーケンス図である。
【図３５】図３５は、運用例９のローミング手順を示すシーケンス図である。
【図３６】図３６は、運用例９の変形例である運用例９−１のシーケンス図である。
【発明を実施するための形態】
【００１１】
以下、図面を参照して本発明の実施形態について説明する。実施形態の構成は例示であり、本発明は実施形態の構成に限定されない。
【００１２】
＜移動通信システム（比較例）の構成例＞
図１は、比較例としての３ＧＰＰの移動通信システムの一例であるＬＴＥ，ＬＴＥ−Ａに基づく移動通信システム（「ＬＴＥ網」という）の構成例を示す図である。図１には、無線端末（User Equipment（ＵＥ）と呼ばれる）１がＬＴＥ網を介して通信相手（correspondent node）であるインターネット（Internet）２上のサーバ（Server）３とデータ通信をするケースが例示されている。
【００１３】
ＬＴＥ網は、無線網とコア網とを有し、無線網には、無線基地局（「ｅＮｏｄｅＢ」と呼ばれる。以下「基地局」と表記）４が配置される。コア網５には、Mobility Management Entity（ＭＭＥ）６，Home Subscriber Server（ＨＳＳ）７，Serving GateWay（Ｓ−
ＧＷ）８、Packet data network Gateway（Ｐ−ＧＷ）９，サービス網（service NW(NetWork)）１０が配置される。
【００１４】
ＭＭＥ６は、無線端末（ＵＥ）の呼制御、Ｓ−ＧＷおよびＰ−ＧＷの選択などを行う。ＨＳＳ７は加入者に関する情報のデータベースを保持しており、ＵＥ１の認証および位置登録に使用される。
【００１５】
Ｓ−ＧＷ８は、基地局４を介して受信されるＵＥからのトラフィックをＰ−ＧＷに転送する。Ｐ−ＧＷ９は、インターネット２のような外部網（パケットデータネットワーク（ＰＤＮ）と呼ばれる）との接続点となるゲートウェイであり、Ｓ−ＧＷ８からのトラフィックをサービス網１０へ送る。
【００１６】
サービス網１０は、移動通信システムを提供する通信事業者（「キャリア」という）が独自に設定した網であり、キャリアがポリシ−に従って設定した所定のネットワークサービスが実行される。
【００１７】
基地局４は、地理的に分散した状態で、複数台設置される。図１では、１つの基地局４を例示している。また、Ｓ−ＧＷ８，Ｐ−ＧＷ９，サービス網１０は、図１では１つずつ図示されているが、Ｓ−ＧＷ８，Ｐ−ＧＷ９，サービス網１０のそれぞれは、コア網５において複数台設けられる。
【００１８】
ＵＥ１とサーバ３との間のトラヒックは、次のような経路を流れる。ＵＥ１からのトラヒックは、基地局４を通ってＳ−ＧＷ８に転送される。Ｓ−ＧＷ８は基地局４から受信したトラヒックをＰ−ＧＷ９へ転送する。Ｐ−ＧＷ９はＳ−ＧＷ８から受信したトラヒックをサービス網１０へ転送する。
【００１９】
このとき、Ｐ−ＧＷ９は、トラヒックに関して所定の動作を行う。例えば、Ｐ−ＧＷ９は、トラヒックの通過量（データ量）を計上する。或いは、Ｐ−ＧＷ９は、トラフィックの通過量（データ量）に応じて通信速度を制限する。但し、Ｐ−ＧＷ９の所定動作は、こ
れらに限定されない。
【００２０】
サービス網１０には、ＵＥ１へ提供する所定のネットワークサービスに係る様々な通信機器（装置）が設置される。通信機器（装置）は、インターネット２向けのゲートウェイ（Gateway）、即ち、交換機１１を介してインターネットとサービス網（サービス網）１
０とを接続するゲートウェイを含む。さらに、サービス網１０は、ウェブキャッシュサーバ（Web Cache Server），年齢制限などに伴う処理を行うコンテンツフィルタリングサーバ，メールサーバ，などから選択される少なくとも１つの通信機器（装置）を含むことができる。
【００２１】
但し、サービス網１０に含まれる通信機器（装置）は、これらに制限されず、ＵＥ１に提供するネットワークサービスの種別を考慮して決定される。なお、本実施形態では、サービスの種別は、サービスを提供するサービス網１０の種別として扱われ、サービス網１０とリンクされたＰ−ＧＷのアドレスを以て識別される。
【００２２】
ＭＭＥ６は、ＵＥ１がＬＴＥ網に接続する（呼を確立する）場合に、ＵＥ１が利用するサービス網１０に応じたＰ−ＧＷ９を選択する。複数のサービス網１０が設けられる場合、各サービス網１０に対応するＰ−ＧＷ９が予め設定される。
【００２３】
ＵＥ１は、ＬＴＥ網への接続時にＭＭＥ６によって選択されたＰ−ＧＷ９の利用を、ＬＴＥ網から切断されるまで継続する。また、ＭＭＥ６は、ＵＥ１がＬＴＥ網に接続するとき、ＵＥ１の位置に応じたＳ−ＧＷ８を選択する。さらに、ＭＭＥ６は、ＵＥ１がＬＴＥ網に接続された後、ＵＥ１の移動に応じてＳ−ＧＷ８を再選択し、トラフィックの経路を切り替える。
【００２４】
このようにして、ＭＭＥ６がＵＥ１に応じたＳ−ＧＷ８およびＰ−ＧＷ９を選択することによって、ＵＥ１の通信経路が設定される。Ｐ−ＧＷ９とサービス網１０との間の通信経路は、例えばＰ−ＧＷ９が有する設定ファイルなどを用いて静的に設定（決定）される。
【００２５】
ＵＥ１は、現在加入している通信事業者(キャリア：以下、「第１キャリア」という)のＬＴＥ網のサービスエリア外において、第１キャリアと提携した他の通信事業者（以下、「第２キャリア」という）のＬＴＥ網を用いたローミングを行うことができる。ＵＥ１について、第１キャリアのＬＴＥ網はホーム網であり、第２キャリアのＬＴＥ網は在圏網(visited NW)である。
【００２６】
図２は、ＵＥ１が在圏網（第２キャリアのＬＴＥ網（「第２キャリア網」ともいう）に３ＧＰＰで規定されたホームルーテッドでローミングしたときのデータ通信経路を示す。データ通信経路（トラヒックの経路）は、太線矢印で示される。
【００２７】
図２において、在圏網は、ホーム網と同様に、第２キャリアの無線網を形成する基地局４ａと、第２キャリアのコア網５ａとを含む。コア網５ａは、ＭＭＥ６ａと、Ｓ−ＧＷ８ａと、Ｐ−ＧＷ９ａと、サービス網１０ａとを含む。サービス網１０ａは、交換機１１ａを介してインターネット２に接続される。なお、コア網５ａのＨＳＳは図示を省略してある。また、図２中の“（Ｈ）”は、通信機器がホーム網（第１キャリア）に属することを示し、“（Ｖ）”は、通信機器が在圏網（第２キャリア）に属することを示す。
【００２８】
ホームルーテッドが実施される場合、ＵＥ１から送出されるトラヒックは、在圏網（コア網５ａ）のＳ−ＧＷ８ａからローミング事業者用のネットワークであるＧＲＸ／ＩＰＸ
(GPRS Roaming eXchange/IP eXchange)１２を経由し、ホーム網（コア網５）内のＰ−Ｇ
Ｗ９に転送される。トラヒックは、最終的にサービス網１０からインターネット２を経てサーバ３に到達する。ホームルーテッドでは、ローミング端末であるＵＥ１の通信経路が一旦ホーム網に戻り、インターネット２（外部網）に抜ける。このような通信経路の設定は、非効率である。例えば、ホーム網が日本にあり、在圏網およびサーバ３がアメリカにある場合では、ＵＥ１のデータ通信経路は、アメリカから一旦日本に戻り、インターネット２を介して再びアメリカに戻ることになる。
【００２９】
３ＧＰＰでは、ホームルーテッドの他に、ローカルブレイクアウト（local breakout）と呼ばれるローミングの方式が規定されている。図３は、図２に示した第２キャリア網を用いて、ローカルブレイクアウトにてＵＥ１がローミングするときのデータ通信経路を示す。ローカルブレイクアウトでは、ＵＥ１のトラフィックが通過するＰ−ＧＷとして、ホーム網のＰ−ＧＷ９ではなく、在圏網内のＰ−ＧＷ９が選択される。トラフィックは、第２キャリアのサービス網１０ａ，インターネット２を経てサーバ３に到達する。
【００３０】
図４は、ローカルブレイクアウトの実施時におけるＰ−ＧＷの選択手順の説明図である。図４において、Ｐ−ＧＷの選択手順は、以下の通りである。
【００３１】
[手順１]
ＵＥ１は、第２キャリアのＬＴＥ網にローミングする場合には、最初に、第２キャリアのＬＴＥ網への接続要求のメッセージを基地局４ａを介してＭＭＥ６ａへ送信する（図４＜１＞）。接続要求のメッセージには、ＡＰＮ(Access Point Name)と、加入者ＩＤなど
が含まれる。ＡＰＮは、ＵＥ１の接続先の識別子であり、例えば、サービス網１０の識別子である。図４の例では、ＡＰＮとして、サービス網１０ａの識別子である“ＡＰＮ＃ｂ”が接続要求に含まれていると仮定する。
【００３２】
[手順２]
ＭＭＥ６ａは、接続要求を受け取ると、第１キャリアのＨＳＳ７に対し、ＵＥ１の認証要求を送信する（図４＜２＞）。
【００３３】
[手順３]
ＨＳＳ７は、認証要求に含まれるＵＥ１の加入者ＩＤに対応する加入者情報をデータベースから検索し、ＵＥ１との間で認証処理を実行する。ＨＳＳ７は、認証結果を含む応答メッセージをＭＭＥ６ａへ返信する（図４＜３＞）。
【００３４】
[手順４]
ＭＭＥ６ａは、認証が成功した場合、ＵＥ１のトラヒックを転送する第２キャリアのＳ−ＧＷ（図４中のＳ−ＧＷ８ａ）を選択するとともに、ＵＥ１から受信したＡＰＮ（ＡＰＮ＃ｂ）に基づく名前解決要求のメッセージをDomain Name System （ＤＮＳ）サーバ１
３に送信する（図４＜４＞）。
【００３５】
[手順５]
ＤＮＳサーバ１３は、ＡＰＮ（ＡＰＮ＃ｂ）に対応するＰ−ＧＷ９ａのＩＰアドレス（Ａｄｄｒ＃ｂ）をＭＭＥ６ａに返送する（図４＜５＞）。
【００３６】
[手順６]
ＭＭＥ６ａは、手順５で選択したＳ−ＧＷ８ａに対し、ＵＥ１のトラヒックを転送するＰ−ＧＷ９ａのＩＰアドレスを通知する（図４＜５＞）。これによって、Ｓ−ＧＷ８ａは、ＭＭＥ６ａから指定されたＰ−ＧＷ９ａとＵＥ１のための通信経路をセットアップする。このとき、Ｐ−ＧＷ９ａとサービス網１０ａとの間の通信経路は前述の通り静的に設定される。当該セットアップの通信手順、及び、以降のＵＥ１の接続処理（呼設定手順）は
、 “3GPP TS23.401”の記載された規定に従ってなされる。ここでは、手順の詳細の説明は省略する。
【００３７】
以上説明した手順１〜手順６によって、ＵＥ１は、ホーム網を経由することなく通信相手（サーバ３）とデータ通信を行うことができる。
【００３８】
ローカルブレイクアウトでは、ＵＥ１とサーバ３とのデータ通信用の通信経路を形成するために、第２キャリアのＬＴＥ網（「第２キャリア網」ともいう）の設備（Ｓ−ＧＷ８ａ，Ｐ−ＧＷ９ａ，サービス網１０ａ）を用いる。このため、ＵＥ１のデータ通信に関してなされる制御の内容や収集される情報の種別などが第２キャリアのポリシーに依存する。
【００３９】
このため、ＵＥ１がローミングをしない場合や、ホームルーテッドを実施した場合において、ＵＥ１に対して実施されるデータ通信の制御（アクセス制御、帯域制御等）やログ情報の収集が必ずしも第２キャリア網で実施されるとは限らない。従って、ローミングの場合には、ＵＥ１に係る制御の内容が一部に限定されたり、ＵＥ１に係るデータ通信に関して取得できる情報が限定されたりする可能性があった。
【００４０】
本発明の実施形態では、上記したホームルーテッドおよびローカルブレイクアウトの欠点を回避することが可能な移動通信システムについて説明する。
【００４１】
＜実施形態に係る移動通信システムの構成例＞
実施形態に係る移動通信システムでは、Network Functions Virtualization（ＮＦＶ）技術を利用して、第２キャリアのサービスエリア（例えば第２キャリア網）内に第１キャリアのネットワーク設備（通信機器およびサービス網）を設置する。第２キャリア網において、第１キャリアのネットワーク設備は、例えば、第２キャリアのネットワーク設備が設置される局舎内に配置される。
【００４２】
ＮＦＶ技術とは、ネットワークを制御する通信機器の機能をソフトウェアとして実装し、汎用サーバ上に生成される仮想マシン（ＶＭ）上で実行する方式である。本実施形態では、第１キャリアのＳ−ＧＷ，Ｐ−ＧＷ，サービス網を形成する装置が有するネットワーク機能がソフトウェア化（仮想化）される。そして、汎用サーバ上に生成される仮想マシン上で、第１キャリアのＳ−ＧＷ，Ｐ−ＧＷ，サービス網を形成する装置としての仮想化ネットワーク機能(ＶＮＦ: Virtualized Network Function)が動作する。
【００４３】
例えば、汎用サーバには、ハイパバイザと呼ばれる仮想マシンを生成するためのミドルウェアが実装され、さらに、Ｓ−ＧＷ，Ｐ−ＧＷ，サービス網として動作するＶＮＦのアプリケーションプログラムが実装される。汎用サーバが備えるプロセッサ（例えばCentral Processing Unit（ＣＰＵ））がハイパバイザおよびアプリケーションプログラムを実
行することによって、汎用サーバは、Ｓ−ＧＷ，Ｐ−ＧＷ，サービス網が有するネットワーク機能（インターネット２と接続するゲートウェイなどの機能）を発揮することができる。
【００４４】
なお、１つの汎用サーバがＳ−ＧＷ，Ｐ−ＧＷ，およびサービス網として動作するようにこれらのＶＮＦが実装されても良く、Ｓ−ＧＷ，Ｐ−ＧＷ，サービス網が個別の汎用サーバに実装されても良い。或いは、Ｓ−ＧＷ，Ｐ−ＧＷ，サービス網のうちの二つが或る汎用サーバに実装され、残りが別の汎用サーバに実装されるようにしても良い。また、１つの汎用サーバに実装されるＳ−ＧＷ，Ｐ−ＧＷ，サービス網のそれぞれの数は任意である。
【００４５】
図５は、第１キャリアのＰ−ＧＷおよびサービス網を第２キャリア網で仮想化した例を示す。第２キャリア網（コア網５ａ）がＮＦＶに対応することによって、これまでホームルーテッドの実施時に使用されていたＰ−ＧＷ９およびサービス網１０のネットワーク機能を仮想マシン（ＶＭ）上で動作させる。これにより、第２キャリア網に仮想のＰ−ＧＷ９Ａおよび仮想のサービス網１０Ａが第２キャリア網（第２キャリアのサービスエリア）に配置された状態となる。
【００４６】
この場合、ＭＭＥ６ａがＵＥ１の接続要求（ＡＰＮ（ＡＰＮ＃ａ））に対応するＰ−ＧＷとしてＰ−ＧＷ９Ａを選択し、Ｐ−ＧＷ９ＡのＩＰアドレス（ａｄｄｒ＃ａ）をＳ−ＧＷ８ａに通知することで、Ｓ−ＧＷ８，Ｐ−ＧＷ９Ａ，サービス網１０Ａを経由するＵＥ１の通信経路が構築される。このように、ＭＭＥ６ａは、通信経路の形成を制御する。
【００４７】
図６は、第１キャリアのＳ−ＧＷ，Ｐ−ＧＷおよびサービス網を第２キャリア網で仮想化した例を示す。図６の例では、第１キャリアのＳ−ＧＷ８，Ｐ−ＧＷ９，およびサービス網１０のそれぞれが有するネットワーク機能が第２キャリア網（コア網５ａ）で仮想化されている。これにより、第１キャリアのＳ−ＧＷ８Ａ，Ｐ−ＧＷ９Ａ，およびサービス網１０Ａが第２キャリア網に設置された状態となる。
【００４８】
ＭＭＥ６ａは、ＵＥ１からの接続要求の受信時に、Ｓ−ＧＷ８Ａを選択し、Ｐ−ＧＷ９ＡのＩＰアドレスをＳ−ＧＷ８Ａに通知する。これによって、Ｓ−ＧＷ８Ａ，Ｐ−ＧＷ９Ａ，サービス網１０Ａの通信経路がコア網５ａで形成される。
【００４９】
図５や図６に示した例によれば、ＵＥ１のデータ通信の通信経路は、Ｐ−ＧＷ９およびサービス網１０を経由しないので、ホームルーテッドのように通信経路が非効率となるのを回避することができる。また、通信経路が第１キャリアのＰ−ＧＷ９Ａおよびサービス網１０Ａを通過することで、通信経路がＰ−ＧＷ９およびサービス網１０を通過する場合と同様の制御やデータ収集を行うことが可能となる。
【００５０】
図５や図６のようなローミングでは、ＵＥ１のデータ通信経路の形成のために、第１キャリアのネットワーク機能を第２キャリア網においてＶＮＦとして動作させる。そして、ＵＥ１が第２キャリア網へローミングした際に、ＵＥ１がこれらのＶＮＦを使用してデータ通信を行う。このため、予め第２キャリア網（コア網５ａ）に第１キャリアのＶＮＦを配備しておき、ＵＥ１が第２キャリア網に接続する際に配備されたＶＮＦが選択されるための設定を行う。また、図６の例に示したように、Ｓ−ＧＷを第１キャリアのＶＮＦとして動作させる場合には、ＵＥ１が基地局間を移動するときに、必要に応じてＳ−ＧＷが再選択されるようにする。
【００５１】
なお、インターネット２は、「外部網」の一例である。ＭＭＥ６ａは、「端末の通信経路を制御する装置」の一例である。Ｓ−ＧＷ８Ａ，Ｐ−ＧＷ９Ａ，サービス網１０Ａのそれぞれは、「第１キャリアの通信機器」の一例である。ＨＳＳ７は、「加入者情報の管理装置」の一例である。
【００５２】
＜通信経路の制御システムの構成例＞
図７は、第２キャリア網に第１キャリアのネットワーク設備（ＶＮＦ）を配備してこれを用いた通信経路を形成させるシステム（通信経路の制御システム）の構成例を示す図である。通信経路の制御システムは、ＶＮＦ配備サーバ２１と、運用システム２２と、ＶＮＦ選択サーバ２３とを含む。ＶＮＦ選択サーバ２３は、「サーバ」，「情報処理装置」の一例である。運用システム２２は、「他の装置」の一例である。
【００５３】
第１キャリアのＶＮＦを第２キャリアの局舎（サービスエリア）内に配備しておき、Ｕ
Ｅ１が第２キャリア網に接続する際、ＭＭＥ６ａがＶＮＦ選択サーバ２３に使用するＶＮＦを問い合わせる。これによって、ＵＥ１に関するデータ通信経路を形成するために配備済みＶＮＦ（Ｓ−ＧＷ８Ａ，Ｐ−ＧＷ９Ａ）が選択されるようにする。
【００５４】
図８は、ＶＮＦ配備サーバ２１、運用システム２２、およびＶＮＦ選択サーバ２３の機能ブロック構成例を示す図である。図８において、ＶＮＦ配備サーバ２１は、ＶＮＦ配備要求受信部２１１と、ＶＮＦ配備の実行部２１２と、ＶＮＦ配備結果の通知部２１３とを含む。
【００５５】
ＶＮＦ配備要求受信部２１１は、運用システム２２からＶＮＦ配備要求を受信する。ＶＮＦ配備実行部２１２は、ＶＮＦ配備受信部２１１で受信したＶＮＦ配備要求に対応するＶＮＦを第２キャリアの局舎内の汎用サーバ１５上に配備する。
【００５６】
ＶＮＦ配備結果通知部２１３は、ＶＮＦの配備結果を運用システム２２に通知する。通知内容は配備されたＶＮＦ(Ｓ−ＧＷ８Ａ, Ｐ−ＧＷ９Ａ)に割り当てられたアドレスを含む。アドレスは、例えばＩＰアドレスである。但し、ＩＰアドレス以外のアドレスや識別子が適用され、別途対応テーブルを用いてアドレスや識別子からＩＰアドレスが割り出される構成が採用されても良い。ＶＮＦアドレス（Ｓ−ＧＷアドレス，Ｐ−ＧＷアドレス）は、「第１キャリアの通信機器を示す情報」の一例である。
【００５７】
運用システム２２は、ＶＮＦ配備要求の送信部２２１、ＶＮＦ配備結果の受信部２２２、および配備済ＶＮＦ情報の送信部２２３を含む。ＶＮＦ配備要求の送信部２２１は、第１キャリアのポリシーに従って、配備要求するＶＮＦに関する情報をＶＮＦ配備サーバ２１に送信する。
【００５８】
ＶＮＦ配備結果の受信部２２２は、ＶＮＦの配備結果をＶＮＦ配備サーバ２１から受信する。配備済ＶＮＦ情報の送信部２２３は、ＶＮＦ配備結果の受信部２２２で受信された配備済みのＶＮＦ(Ｓ−ＧＷ８Ａ, Ｐ−ＧＷ９Ａ)のＩＰアドレス、およびＶＮＦを配備した通信事業者（第１キャリア）のＩＤ（第１キャリアＩＤ：第１キャリアの識別子）をＶＮＦ選択サーバ２３に送信する。
【００５９】
ＶＮＦ選択サーバ２３は、配備済ＶＮＦ情報の受信部２３１、配備済みＶＮＦ情報の保存部２３２、ＶＮＦアドレス問い合わせの受信部２３３、ＶＮＦアドレスの検索部２３４、およびＶＮＦアドレスの送信部２３５を含む。
【００６０】
配備済みＶＮＦ情報の受信部２３１は、運用システム２２から受信したＶＮＦ(Ｓ−Ｇ
Ｗ８Ａ, Ｐ−ＧＷ９Ａ)のＩＰアドレスと、第１キャリアＩＤとを配備済みＶＮＦ情報の
保存部２３２に保存（記憶）する。
【００６１】
ＶＮＦアドレス問い合わせの受信部２３３は、ＭＭＥ６ａからＵＥ１のデータ通信に使用するＶＮＦのＩＰアドレスの問い合わせを受信する。この問い合わせは、第１キャリアＩＤを含む。問い合わせに含まれる第１キャリアＩＤは、例えば、ＭＭＥ６ａがＵＥ１からの接続要求に含まれた第１キャリアＩＤを取得することによって得られる。或いは、ＭＭＥ６ａがＨＳＳ７などの他の通信機器から得ることもできる。
【００６２】
配備済ＶＮＦ情報の保存部２３２は、データベースを有する。データベースの検索には、第１キャリアＩＤが検索鍵として使用される。図９は、保存部２３２で保存されるデータベース２３２Ａのデータ構造例を示す。図９に示すように、データベース２３２Ａは、第１キャリアＩＤと関連づけて、Ｓ−ＧＷおよびＰ−ＧＷのアドレスを記憶する。なお、図９では、サービス網１０Ａとして動作するＶＮＦに関する情報を保存しないものとする
。検索鍵は、「端末に関係する鍵」の一例である。
【００６３】
ＶＮＦアドレスの検索部２３４は、ＶＮＦアドレス問い合わせの受信部２３３で問い合わせが受信された場合に、配備済ＶＮＦ情報の保存部２３２を参照し、第１キャリアＩＤに対応するＶＮＦ（Ｓ−ＧＷ，Ｐ−ＧＷ）のＩＰアドレスを検索（検出）する。
【００６４】
このとき、第１キャリアＩＤに対応する複数のＶＮＦのＩＰアドレスが登録されている場合には、複数のＩＰアドレスの１つがランダムに選択（検索）される。或いは、所定の優先順位に従って複数のＩＰアドレスの１つが選択（検索）されても良い。なお、選択対象のＶＮＦがＳ−ＧＷである場合には、ＵＥ１と接続された基地局４ａが属するエリアを示すＴＡＣ(Tracking Area Code: 基地局をグルーピングしたＩＤ相当のコード)を元にＳ−ＧＷを選択することも考えられる。ＴＡＣは、第１キャリアＩＤの代わりに検索鍵として使用されても良く、第１キャリアＩＤとともに検索鍵として使用されても良い。ＴＡＣは、「エリア識別子」の一例である。第１キャリアＩＤおよびＴＡＣのそれぞれは、「検索鍵」の一例である。
【００６５】
ＶＮＦアドレスの送信部２３５は、ＶＮＦアドレスの検索部２３４で検索されたＶＮＦのＩＰアドレスをＭＭＥ６ａに送信（供給）する。これに対し、検索部２３４の検索の結果、対応するＶＮＦアドレスがなかった場合は、送信部２３５は、対応ＶＮＦアドレスがない旨をＭＭＥ６ａに通知する。
【００６６】
図１０は、第１キャリアのＶＮＦを第２キャリアの局舎に配備し、ＶＮＦ選択サーバ２３に配備済みのＶＮＦ情報が登録されるまでの流れを示す図である。図１０において、第１に、運用システム２２は、ＶＮＦ配備サーバ２１に対し、ＶＮＦを第２キャリアの局舎上に配備するよう指示する（配備要求を送信する）（図１０＜１＞）。
【００６７】
第２に、ＶＮＦ配備サーバ２１は、運用システム２２からの指示に従って、配備要求に対応するＶＮＦを第２キャリアの局舎に配備する（図１０＜２＞）。図１０の例では、Ｓ−ＧＷ８Ａ，Ｐ−ＧＷ９Ａ，サービス網１０Ａが配備された例を示す。Ｓ−ＧＷ８Ａは配備しない場合もある。
【００６８】
第３に、ＶＮＦ配備サーバ２１は、配備したＶＮＦ（Ｓ−ＧＷ，Ｐ−ＧＷ）に割当てられたＩＰアドレス（ＶＮＦアドレス）を運用システムに通知する（図１０＜３＞）。第４（最後）に、運用システム２２は、ＶＮＦ選択サーバ２３にＶＮＦアドレス、および第１キャリアＩＤを通知し（図１０＜４＞）、ＶＮＦ選択サーバ２３は、これをデータベース２３２Ａに保存する。
【００６９】
上記した実施形態によれば、仮想化されたＰ−ＧＷ９Ａおよびサービス網１０Ａが第２キャリアのサービスエリアに配備され、これらを通過してインターネット２へ至るデータ通信経路が形成される（図５）。或いは、仮想化されたＳ−ＧＷ８Ａ，Ｐ−ＧＷ９Ａ，サービス網１０Ａが第２キャリアのサービスエリアに配備され、これらを通過してインターネット２へ至るデータ通信経路が形成される（図６）。これらによって、ホームルーテッドのように、非効率なデータ通信経路が形成されることを回避することができる。なお、データ通信経路を流れるデータは、テキスト，画像，動画，音声などの様々なデータを含む。
【００７０】
＜変形例＞
図８〜図１０を用いて説明した例では、ＶＮＦ選択サーバ２３は、ＵＥ１を使用している加入者の契約状況を考慮しない。契約状況は、第２キャリアの局舎上に配備されている第１キャリアのＶＮＦを使用してよいか否かを示す情報、ＵＥ１がＡＰＮにより指定する
サービス網の種別を示す情報を含む。
【００７１】
このため、第２キャリア網に接続した際に第１キャリアのＶＮＦが配備されている第２キャリア網に第１キャリアのＵＥが接続した場合には、ＵＥ１の加入者の契約状況に依らず、ＵＥがＶＮＦを使用する。また、図８〜図１０を用いて説明した例では、第１キャリアのＵＥが第２キャリア網にローミング接続する場合において、ＵＥがＡＰＮにより指定するサービス網の種別に依らず、第２キャリアの局舎に配備されたサービス網が使用される。このため、以下のような変形例が考えられる。
【００７２】
＜＜変形例１＞＞
図１１は、通信経路の制御システムの変形例を示す図である。ＵＥの加入者の契約状況を考慮する場合、ＶＮＦ選択サーバ２３は、さらに以下のような動作を行う。
（ａ）ＶＮＦアドレス問い合わせの受信部２３３は、問い合わせに含まれたＵＥの加入者ＩＤ（ＵＥ（加入者）の識別子）を受信する。加入者ＩＤは「端末の識別子」の一例である。
【００７３】
（ｂ）ＶＮＦアドレスの検索部２３４は、加入者ＩＤを用いて、第１キャリアのＨＳＳ７に対し、第２キャリアの局舎に配備されているＶＮＦを使用してよいか否かを問い合わせる。ＨＳＳ７は、ＶＮＦ選択サーバ２３から得た加入者ＩＤに対応する加入者情報を検索する。加入者情報には、当該加入者がＶＮＦの使用を許されているか否かを示す情報が含まれている。ＨＳＳ７は、当該情報を確認することで、ＵＥ１に対するＶＮＦの使用可否を判定する。ＨＳＳ７は、ＶＮＦ選択サーバ２３に対し、判定結果（ＶＮＦの使用可、又はＶＮＦ使用不可）を返信する。
【００７４】
（ｃ）ＶＮＦアドレスの検索部２３４は、ＨＳＳ７に対する問い合わせの結果、ＶＮＦの使用可を示す通知をＨＳＳ７から受信した場合には、保存部２３２を参照し、該当ＶＮＦのアドレスを検索する。これに対し、ＨＳＳ７からＶＮＦ使用不可の通知がＶＮＦ選択サーバ２３で受信された場合には、ＶＮＦアドレスの送信部２３５は、ＶＮＦの使用不可の旨をＭＭＥ６ａに通知する。この場合、ＭＭＥ６ａは、例えば、通常のローミング方式（ホームルーテッドまたはローカルブレイクアウト）でデータ通信経路を形成する。
【００７５】
＜＜変形例２＞＞
また、ＵＥがＡＰＮにより指定するサービス網の種別を考慮する場合、ＶＮＦ選択サーバ２３は、以下のように変形される。図１２および図１３は、保存部２３２に記憶されるデータベースのデータ構造例を示す。
【００７６】
図１２および図１３に示すように、データベースは、Ｐ−ＧＷのＩＰアドレスを検索するためのデータベース２３２Ｂと、Ｓ−ＧＷのＩＰアドレスを検索するためのデータベース２３２Ｃとに分離される。
【００７７】
図１２に示すように、データベース２３２Ｂには、第１キャリアＩＤおよびＡＰＮに対応するＰ−ＧＷのＩＰアドレスが検索される。Ｐ−ＧＷのＩＰアドレスは、ＡＰＮにて指定されるサービス網の種別に応じて用意される。ＡＰＮは「サービス網の識別子」の一例である。
【００７８】
図１３に示すように、データベース２３２Ｃには、第１キャリアＩＤに対応するＳ−ＧＷのＩＰアドレスが記憶される。Ｓ−ＧＷは、ＡＰＮに依存することなく選択されるからである。
【００７９】
図１２および図１３に示したデータベース２３２Ｂおよびデータベース２３２Ｃが使用
される場合、例えば、図８に示すＶＮＦ選択サーバ２３は、上述した動作に加えて以下のような動作を行う。
【００８０】
すなわち、ＶＮＦ選択サーバ２３におけるＶＮＦアドレス問い合わせの受信部２３３は、ＭＭＥ６ａからの問い合わせに含まれるＡＰＮを取得する。ＡＰＮは、ＵＥによって指定され、例えば、ＵＥの接続要求に含まれている。
【００８１】
ＶＮＦアドレスの検索部２３４は、問い合わせ対象のＶＮＦがＰ−ＧＷであれば、保存部２３２のデータベース２３２Ｂを参照し、問い合わせに含まれた第１キャリアＩＤおよびＡＰＮに対応するＶＮＦ（Ｐ−ＧＷ）のＩＰアドレスを読み出す。すなわち、第１キャリアＩＤおよびＡＰＮがデータベース２３２Ｂの検索鍵として用いられる。ＡＰＮは「検索鍵」の一例である。
【００８２】
これに対し、問い合わせ対象のＶＮＦがＳ−ＧＷおよびＰ−ＧＷであれば、上記したＰ−ＧＷのＩＰアドレスの検索（読み出し）に加えて、データベース２３２Ｃから第１キャリアＩＤに対応するＳ−ＧＷのＩＰアドレスを検索する（読み出す）。
【００８３】
上記した変形例２の構成は、変形例１の構成と組み合わせることができる。これにより、加入者の契約状況およびサービス網の種別の双方を考慮したＶＮＦ選択が可能となる。
【００８４】
変形例２によれば、ＡＰＮに応じたサービス網１０ＡとＵＥ１とが接続されるように、Ｐ−ＧＷ９ＡのＩＰアドレスが決定される。これによって、ＵＥ１に対し、ホーム網で提供される所定のネットワークサービスと同等のネットワークサービスを提供することができる。
【００８５】
また、実施形態によれば、ローミング時のデータ通信に第１キャリアのネットワーク設備が使用される。このため、ＵＥ１のデータ通信に関して、ホーム網で実施されているのと同様の制御（例えば、アクセス制御や帯域制御など）や情報収集（例えば、ログ情報の収集）を行うことができる。
【００８６】
なお、実施形態では、第１キャリアのネットワーク設備（通信機器ないし装置）として、汎用サーバ上で動作するＶＮＦが示されているが、通信機器ないし装置がＶＮＦ（仮想ネットワーク機能）であることは必須要件ではない。すなわち、第２キャリアのサービスエリアに配置される第１キャリアのネットワーク設備（通信機器）は、実装置であっても良い。
【００８７】
＜ハードウェア構成例＞
図１４は、ＶＮＦ選択サーバ２３として動作する情報処理装置（コンピュータ）１００のハードウェア構成例を示す図である。情報処理装置として、例えば、専用のサーバマシン、或いは汎用のコンピュータ（例えば、パーソナルコンピュータ（ＰＣ），ワークステーションなど）などを適用することができる。
【００８８】
情報処理装置１００は、バスＢを介して相互に接続されたプロセッサ１０１，主記憶装置１０２，補助記憶装置１０３，入力装置１０４，出力装置１０５，およびネットワークインタフェース（ＮＩＦ）１０６を含む。
【００８９】
入力装置１０４は、例えば、キーボード、マウス等のポインティングデバイス等である。入力装置１０４から入力されたデータは、プロセッサに与えられる。出力装置１０５は、プロセッサ１０１の処理の結果を出力する。出力装置１０５は、例えば、スピーカ等の音声出力装置、ディスプレイ、プリンタを含む。
【００９０】
ＮＩＦ１０６は、ネットワークとの情報の入出力を行うインタフェース回路である。ＮＩＦ１０６は、有線のネットワークと接続するインタフェース、無線のネットワークと接続するインタフェースとの少なくとも一方を含む。ＮＩＦ１０６は、例えば、ネットワークインタフェースカード（ＮＩＣ）、ＬＡＮ（Local Area Network）カード、無線ＬＡＮカード等である。ＮＩＦ１０６で受信されたデータ等は、プロセッサ１０１に渡される。
【００９１】
補助記憶装置１０３は、様々なプログラムや、各プログラムの実行に際してプロセッサ１０１が使用するデータを格納する。補助記憶装置１０３は、例えば、EPROM（Erasable Programmable ROM）、ハードディスクドライブ（Hard Disk Drive）、フラッシュメモリ
、Solid State Drive（ＳＳＤ）等の不揮発性のメモリである。補助記憶装置１０３は、
例えば、オペレーティングシステム（ＯＳ）、データ蓄積先決定プログラム、その他様々なアプリケーションプログラムを記憶する。補助記憶装置１０３は、ＵＳＢメモリのような可搬記録媒体や、ＣＤ、ＤＶＤのようなディスク記録媒体を含み得る。
【００９２】
主記憶装置１０２は、プロセッサ１０１に、補助記憶装置１０３に格納されているプログラムをロードする記憶領域および作業領域を提供したり、バッファとして用いられたりする。主記憶装置１０２は、例えば、Random Access Memory（ＲＡＭ）のような半導体メモリを用いて形成される。主記憶装置１０２はRead Only Memory（ＲＯＭ）を含む場合もある。
【００９３】
プロセッサ１０１は、例えば、Central Processing Unit（ＣＰＵ）、或いはマイクロ
プロセッサ（ＭＰＵ）である。プロセッサ１０１は、補助記憶装置１０３に記憶された各種のプログラムを主記憶装置１０２にロードして実行する。これによって、情報処理装置１００がＶＮＦ選択サーバとして動作するための様々な処理を実行する。プロセッサは、１つに限られず、複数備えられてもよい。
【００９４】
プロセッサ１０１は、「制御装置」の一例である。主記憶装置１０２および補助記憶装置１０３のそれぞれは、「記憶装置」、「コンピュータ読み取り可能な記録媒体」の一例である。また、プロセッサ１０１によって実行される処理の一部又は全部は、半導体デバイスを用いたハードウェアロジックによってなされるようにしても良い。半導体デバイスは、例えば、Field Programmable Gate Array（ＦＰＧＡ）のようなプログラマブルロジ
ックデバイス（ＰＬＤ），Application Specific Integrated Circuit（ＡＳＩＣ），Large Scale Integrated circuit（ＬＳＩ），ＩＣ，ゲート回路の組み合わせ、電気・電子
回路を含む。
【００９５】
プロセッサ１０１は、プログラムの実行によって、以下のような処理を行う。すなわち、プロセッサ１０１は、受信部２３１として、ＶＮＦ情報（ＶＰＮアドレスおよび第１キャリアＩＤ）を保存部２３２に記憶する処理を行う。また、プロセッサ１０１は、受信部２３３として、問い合わせ（第１キャリアＩＤ，ＡＰＮ）を取得する処理を行う。
【００９６】
また、プロセッサ１０１は、検索部２３４として、ＶＮＦアドレス（Ｐ−ＧＷのＩＰアドレス、又はＳ−ＧＷおよびＰ−ＧＷのＩＰアドレス）を保存部２３２から検索する処理を行う。また、プロセッサ１０１は、検索部２３４として、ＨＳＳ７に問合せを行う。さらに、プロセッサ１０１は、送信部２３５としてＶＮＦアドレスをＭＭＥに通知する処理を行う。また、保存部２３２は、主記憶装置１０２または補助記憶装置１０３に記憶される。
【００９７】
情報処理装置１００は、ＶＮＦ配備サーバ２１として使用することができる。この場合、情報処理装置１００の補助記憶装置１０３には、プロセッサ１０１が受信部２１１，Ｖ
ＮＦ配備実行部２１２，通知部２１３としての動作を行うための各種のプログラムが記憶（インストール）される。
【００９８】
また、情報処理装置１００は、運用システム２２として使用することができる。この場合、情報処理装置１００の補助記憶装置１０３には、プロセッサ１０１が送信部２２１，受信部２２２，送信部２２３としての動作を行うためのプログラムが記憶（インストール）される。
【００９９】
また、情報処理装置１００は、汎用サーバ１５として使用することができる。この場合、情報処理装置１００の補助記憶装置１０３には、上記したハイパバイザ，ＯＳ，ＶＮＦ（Ｓ−ＧＷ，Ｐ−ＧＷ，サービス網内の装置）を実行するためのアプリケーションプログラムが記憶される。
【０１００】
さらに、情報処理装置１００は、ＭＭＥ６（６ａ），ＨＳＳ７，Ｓ−ＧＷ８（８ａ），Ｐ−ＧＷ９（９ａ），サービス網１０（１０ａ）に含まれる装置（サーバ等），ＤＮＳサーバ１３として使用することができる。
【０１０１】
情報処理装置１００がＭＭＥ６（６ａ）として使用される場合、補助記憶装置１０３には、プロセッサ１０１の実行によって情報処理装置１００がＭＭＥ６（６ａ）として動作するための各種のプログラムが記憶される。
【０１０２】
情報処理装置１００がＨＳＳ７として使用される場合、補助記憶装置１０３には、プロセッサ１０１の実行によって情報処理装置１００がＨＳＳ７として動作するための各種のプログラムと、加入者データベースなどが記憶される。
【０１０３】
情報処理装置１００がＳ−ＧＷ８（８ａ）として使用される場合、補助記憶装置１０３には、プロセッサ１０１の実行によって情報処理装置１００がＳ−ＧＷ８（８ａ）として動作するための各種のプログラムが記憶される。
【０１０４】
情報処理装置１００がＰ−ＧＷ９（９ａ）として使用される場合、補助記憶装置１０３には、プロセッサ１０１の実行によって情報処理装置１００がＰ−ＧＷ９（９ａ）として動作するための各種のプログラムが記憶される。
【０１０５】
情報処理装置１００がサービス網１０の通信機器（装置）として使用される場合、補助記憶装置１０３には、プロセッサ１０１の実行によって情報処理装置１００が当該通信機器（装置）として動作するための各種のプログラムが記憶される。
【０１０６】
なお、図８や図１１に示した例では、ＵＥ１のデータ通信経路の形成の制御に第２キャリアのＭＭＥ６ａを使用する例が示されている。但し、第１キャリアのＭＭＥを第２キャリアの局舎（サービスエリア）内で仮想化し、ＭＭＥ６ａの代わりに仮想化されたＭＭＥがＶＮＦ選択サーバ２３への問い合わせおよび制御を行うようにしても良い。この場合、例えば、基地局４ａが、接続されたＵＥ１からの接続要求（発呼要求）を仮想化ＭＭＥへ転送するようにされる。
【０１０７】
また、図１１に示した例では、ＨＳＳ７が第１キャリア網（コア網５）にある例を示している。これに代えて、仮想化された第１キャリアのＨＳＳが第２キャリアの局舎（サービスエリア）に配置され、ＶＮＦ選択サーバ２３がこの仮想化されたＨＳＳに対して問合せを行うようにしても良い。
【０１０８】
＜運用例＞
ＶＮＦ選択サーバ２３は、独立した装置として設置することができる。或いは、ＶＮＦ選択サーバ２３は、ＨＳＳ，ＭＭＥ，ＤＮＳサーバのそれぞれとして動作する情報処理装置（コンピュータ）に実装することもできる。実装は、例えば、ＶＮＦ選択サーバ２３として動作するための各種のプログラムを情報処理装置にインストールすることによってなされる。
【０１０９】
また、配備対象のＶＮＦとして、Ｐ−ＧＷとサービス網を第２キャリアのサービスエリアに配備する場合、Ｓ−ＧＷを含めて他社局舎内に配備する場合が考えられる。この場合、さらに、Ｓ−ＧＷのアドレスを返送するＶＮＦ選択サーバ２３とＭＭＥとを同一の情報処理装置に実装し（同居させ）、Ｐ−ＧＷのアドレスを返送するＶＮＦ選択サーバ２３とＨＳＳとを同一の情報処理装置に実装する（同居させる）ことが考えられる。すなわち、ＶＮＦ選択サーバ２３を、Ｓ−ＧＷアドレス用のＶＮＦ選択サーバとＰ−ＧＷアドレス用のＶＮＦ選択サーバとに分ける構成も考えられる。
【０１１０】
以下、運用例として、上述したパターンに関して、ＵＥ１が第２キャリア網にローミングする際の手順を示す。なお、運用例の説明では、ＵＥ１を使用している加入者の契約状況、およびＵＥ１がＡＰＮにより指定するサービス網の種別の両方が考慮される例について説明する。
【０１１１】
＜＜運用例１＞＞
運用例１として、第２キャリアのサービスエリアに配備される対象のＶＮＦがＰ−ＧＷおよびサービス網であり（図５参照）、ＶＮＦ選択サーバ２３が独立した装置であるパターンにおけるローミング時の手順について説明する。図１５は、運用例１のローミング手順を示すシーケンス図である。
【０１１２】
（手順１）
図１５において、第１キャリアの加入端末であるＵＥ１は、在圏網（第２キャリア網）へローミングする場合には、基地局４ａに接続要求（発呼要求）のメッセージを送信する。接続要求は、第１キャリアのＩＤ，加入者ＩＤ（ＵＥ１の識別子），ＵＥ１で指定されたＡＰＮを含む。
【０１１３】
（手順２〜４）
基地局４ａは、ＭＭＥ６ａにＵＥ１から受信された接続要求を転送する（手順２）。接続要求を受信したＭＭＥ６ａは、第１キャリアのＨＳＳ７に対し、ＵＥ１の認証要求のメッセージを送信する（手順３）。認証要求を受信したＨＳＳ７は、ＵＥ１との間で認証処理を行い、ＭＭＥ６ａに対して認証結果のメッセージを送信する（手順４）。
【０１１４】
（手順４Ａ，手順５）
認証結果を受信したＭＭＥ６ａは、認証が成功した場合、既存の方法によりＳ−ＧＷ選択処理を行う（手順４Ａ）。また、ＭＭＥ６ａは、第１キャリアのＰ−ＧＷのＩＰアドレスの解決のために、ＶＮＦ選択サーバ２３にＶＮＦ選択要求のメッセージを送信する（手順５）。ＶＮＦ選択要求は、選択対象のＶＮＦ種別がＰ−ＧＷである旨，第１キャリアＩＤ，加入者ＩＤ，およびＡＰＮを含む。
【０１１５】
（手順６）
ＶＮＦ選択要求を受信したＶＮＦ選択サーバ２３（ＶＮＦ選択サーバ２３として動作する情報処理装置１００のプロセッサ１０１）は、ＶＮＦの使用可否（加入者情報要求）をＨＳＳ７に問い合わせる。問合せは、加入者ＩＤを含む。
【０１１６】
（手順７）
ＨＳＳ７は、加入者ＩＤを元に加入者データベースから加入者情報を検索し、加入者情報に含まれたＶＮＦ使用可否を示す情報（使用可または使用不可：加入者情報応答）をＶＮＦ選択サーバ２３に応答する。
【０１１７】
（手順８）
ＨＳＳ７からの応答を受信したＶＮＦ選択サーバ２３（プロセッサ１０１）は、ＨＳＳ７に対する問い合わせ結果、ＶＮＦが使用可であれば、問い合わせに含まれた選択対象のＶＮＦ種別に基づき、保存部２３２（データベース２３２Ｂ（図１２））を参照する。ＶＮＦ選択サーバ２３（プロセッサ１０１）は、問い合わせに含まれた第１キャリアＩＤおよびＡＰＮに対応するＰ−ＧＷのＩＰアドレス（Ｐ−ＧＷアドレス）をデータベース２３２Ｂから読み出す（検索する）。そして、ＶＮＦ選択サーバ２３（プロセッサ１０１）は、Ｐ−ＧＷアドレスをＭＭＥ６ａに送信（供給）する。
【０１１８】
（手順９）
Ｐ−ＧＷアドレスを受信したＭＭＥ６ａは、Ｓ−ＧＷ選択処理で得たＳ−ＧＷアドレス（Ｓ−ＧＷのＩＰアドレス）を持つＳ−ＧＷ８ａに対し、通信経路の確立要求のメッセージを送信する。この通信経路の確立要求はＰ−ＧＷアドレスを含む。
【０１１９】
（手順１０）
通信経路の確立要求を受信したＳ−ＧＷ８ａは、Ｐ−ＧＷアドレスを有するＰ−ＧＷ９Ａに対し、通信経路の確立要求のメッセージを送信する。その後、Ｐ−ＧＷ９ＡとＡＰＮで指定したＵＥ１の接続先であるサービス網１０Ａとの通信経路が確立される。さらに、基地局４ａとＵＥ１との間で無線経路が確立される。
【０１２０】
その後の手順（呼確立の手順）の詳細は説明を省略する。大略すると、Ｓ−ＧＷ８ａは、通信経路の確立完了をＭＭＥ６ａに送る。ＭＭＥ６ａは、基地局４ａに対し、ＵＥ１との無線通信経路の確立要求を与える。基地局４ａとＵＥ１との間で無線通信経路が確立されると、ＭＭＥ６ａは、Ｓ−ＧＷ８ａに対し、通信経路の更新要求を送信する。Ｓ−ＧＷ８ａは、通信経路の更新処理を行うことで、Ｓ−ＧＷ８ａと基地局４ａとの間の通信経路と無線通信経路とを接続する。
【０１２１】
また、サービス網１０に含まれるゲートウェイは、交換機１１ａを介してインターネット２に接続し、ＵＥ１の通信相手であるサーバ３（図５）との経路を確立する。このようにして、ＵＥ１とサーバ３との間のデータ通信経路（ＵＥ１→基地局４ａ→Ｓ−ＧＷ８ａ→Ｐ−ＧＷ９Ａ，サービス網１０Ａ→インターネット２→サーバ３）が確立される。
【０１２２】
そして、ＵＥ１は第２キャリアのサービスエリアに配置された第１キャリアの通信設備（ＶＮＦ）を用いてインターネット２へ接続し、サーバ３へデータを送ることができる（手順１１）。
【０１２３】
＜＜運用例１−１＞＞
上記した運用例１の手順では、手順３と手順６との２回、ＨＳＳ７にアクセスしている。ＨＳＳ７へのアクセスを一回で済ませる運用例１の変形例を運用例１−１として図１６を用いて説明する。
【０１２４】
（手順１〜３）
図１６において、運用例１−１における手順１および手順２は運用例１と同じである。ＭＭＥ６ａは、ＨＳＳ７に対し、ＵＥ１の認証要求と加入者情報要求とを同時に送信する（手順３）。認証要求および加入者情報要求は加入者ＩＤを含む。
【０１２５】
（手順４）
認証要求および加入者情報要求を受信したＨＳＳ７は、加入者ＩＤを元にＵＥ１の認証処理を行う。認証が成功すると、ＨＳＳ７は、加入者情報から判定したＶＮＦの使用可否を示す情報を認証結果とともにＭＭＥ６ａへ送信する。
【０１２６】
（手順５）
ＭＭＥ６ａは、ＨＳＳ７に対する問合せの結果、ＶＮＦが使用可である場合には、運用例１の手順５で説明した処理と同様の処理を行う。
【０１２７】
（手順６）
ＶＮＦ選択サーバ２３（プロセッサ１０１）は、問い合わせのあったＶＮＦについて、保存部２３２を参照し、第１キャリアＩＤおよびＡＰＮに対応するＰ−ＧＷアドレスを検索する。ＶＮＦ選択サーバ２３（プロセッサ１０１）は、Ｐ−ＧＷアドレスをＭＭＥ６ａに送信（供給）する。このように、運用例１−１では、ＶＮＦの使用可否の問い合わせが手順３で既に行われているため、運用例１における手順６および手順７の処理は行われない。
【０１２８】
（手順７〜９）
その後、手順７〜９として、運用例１（図１５）の手順９〜１１と同様の処理が実行される。これによって、ＵＥ１がサーバ３に対してデータを送信可能となる。
【０１２９】
＜＜運用例２＞＞
運用例２として、第２キャリアのサービスエリアに配備される対象のＶＮＦがＰ−ＧＷおよびサービス網であり（図５参照）、ＶＮＦ選択サーバ２３をＨＳＳ７と同居させたパターンにおけるローミング時の手順について説明する。図１７は、運用例２のローミング手順を示すシーケンス図である。同居とは、ＨＳＳ７として動作する情報処理装置１００にＶＮＦ選択サーバ２３として動作するためのプログラムを実装し、情報処理装置１００がＨＳＳ７およびＶＮＦ選択サーバ２３として動作することを意味する。
【０１３０】
（手順１〜４）
運用例２における手順１〜４は、運用例１における手順１〜４と同様であるので説明を省略する。
【０１３１】
（手順５）
ＭＭＥ６ａは、認証が成功した場合、既存の方法によりＳ−ＧＷ選択処理を行うとともに、ＨＳＳ７に対し、ＶＮＦ選択要求を送信する。ＶＮＦ選択要求は、ＶＮＦ種別（Ｐ−ＧＷ）, 第１キャリアＩＤ, 加入者ＩＤ, およびＡＰＮを含む。ＶＮＦ選択要求がＨＳＳ７に送信される。このため、運用例１と異なり、運用例１の手順６および手順７に相当する手順はない。
【０１３２】
（手順５Ａ，手順６）
ＨＳＳ７（プロセッサ１０１）は、加入者ＩＤに基づき加入者情報を検索し、加入者（ＵＥ１）のＶＮＦの使用可否を判定する（手順５Ａ）。ＶＮＦが使用可である場合、ＨＳＳ７（プロセッサ１０１）は、ＶＮＦ選択サーバ２３として動作し、保存部２３２を参照して第１キャリアＩＤおよびＡＰＮに対応するＰ−ＧＷアドレスを検索する。ＨＳＳ７は、得られたＰ−ＧＷアドレスをＭＭＥ６ａに送信（供給）する（手順６）。
【０１３３】
（手順７〜９）
運用例２の手順７〜９は、運用例１の手順９〜１１と同じであるので説明を省略する。運用例２では、ＶＮＦ選択サーバ２３の宛先とＨＳＳ７と同じにすることができ、管理す
るアドレスを減らすことができる。ＨＳＳ７は、第１キャリア網にあるため、ＶＮＦ選択サーバ２３を第２キャリア網やその近傍（遠隔地）に配置する場合よりも管理を容易にし得る。
【０１３４】
＜＜運用例２−１＞＞
運用例２（図１７）では、手順３と手順５との２回ＨＳＳ７にアクセスしている。ＨＳＳ７へのアクセスを一回で済ませる運用例２の変形例を運用例２−１として図１８を用いて説明する。
【０１３５】
（手順１〜３）
図１８に示す手順１および手順２は、運用例２（図１７）と同じであるので説明を省略する。ＭＭＥ６ａは、ＵＥ１の認証要求とともにＶＮＦ選択要求をＨＳＳ７に送信する（手順３）。
【０１３６】
（手順３Ａ，手順４）
認証要求およびＶＮＦ選択要求を受信したＨＳＳ７（プロセッサ１０１）は、ＵＥ１の認証処理を行い、認証処理が成功すると、加入者ＩＤを元にＶＮＦの使用可否を判定する（手順３Ａ）。ＶＮＦが使用可である場合、ＨＳＳ７（プロセッサ１０１）は、ＶＮＦ選択サーバ２３として動作し、第１キャリアＩＤおよびＡＰＮに対応するＰ−ＧＷアドレスを保存部２３２から検索する。ＨＳＳ７（プロセッサ１０１）は、Ｐ−ＧＷアドレスを含む応答メッセージ（認証応答＋ＶＮＦ選択応答）をＭＭＥ６ａに送る（供給する）（手順４）。
【０１３７】
（手順４Ａ，手順５〜７）
ＭＭＥ６ａは、Ｓ−ＧＷ選択処理を行う（手順４Ａ）。その後の手順５〜７は、運用例１における手順９〜１１と同じであるので説明を省略する。
【０１３８】
＜＜運用例３＞＞
運用例３では、以下のパターンにおけるローミング時の手順を説明する。すなわち、第２キャリアのサービスエリアに配備される対象のＶＮＦがＰ−ＧＷおよびサービス網である（図５参照）。また、ＶＮＦ選択サーバ２３とＭＭＥ６ａとが同一の情報処理装置１００に実装されている。図１９は、運用例３のローミング手順を示すシーケンス図である。
【０１３９】
（手順１〜４）
図１９における手順１〜４は、運用例１（図１５）における手順１〜４と同じであるので説明を省略する。
【０１４０】
（手順４Ａ，手順５，手順６）
ＭＭＥ６ａ（プロセッサ１０１）は、認証が成功した場合、既存の方法によりＳ−ＧＷ選択処理を行う（手順４Ａ）。さらに、ＭＭＥ６ａ（プロセッサ１０１）は、Ｐ−ＧＷ選択処理を行うため、加入者ＩＤを含む加入者情報要求をＨＳＳ７に問い合わせる（手順５）。ＨＳＳ７は、加入者ＩＤを元にＵＥ１のＶＮＦの使用可否を判定し、判定結果を加入者情報応答としてＭＭＥ６ａに送信する（手順６）。
【０１４１】
（手順７）
ＭＭＥ６ａ（情報処理装置１００のプロセッサ１０１）は、ＨＳＳ７からの加入者情報応答がＶＮＦの使用可を示す場合、ＶＮＦ選択サーバ２３のプログラムを実行する。プロセッサ１０１は、第１キャリアＩＤおよびＡＰＮに対応するＰ−ＧＷアドレスを保存部２３２から検索し、情報処理装置１００内のＭＭＥ６ａのプログラムに供給する。すると、ＭＭＥ６ａ（プロセッサ１０１）は、Ｓ−ＧＷ選択処理で得たＳ−ＧＷアドレスを持つＳ
−ＧＷに対し、通信経路の確立要求を送信する。通信経路の確立要求は、Ｐ−ＧＷアドレスを含む。
【０１４２】
（手順８，９）
手順８および手順９は、運用例１における手順１０および手順１１と同様であるので説明を省略する。
【０１４３】
運用例３では、情報処理装置１００がＭＭＥ６ａがＶＮＦ選択サーバ２３として動作する。これにより、ＭＭＥ６ａがＳ−ＧＷおよびＰ−ＧＷを他の装置に問い合わせる手間を省くことができる。
【０１４４】
上述したように、運用例３では、検索鍵である第１キャリアＩＤと検索結果であるＰ−ＧＷアドレスの受け渡しは、ＭＭＥ６ａのプログラム（ルーチン或いはプロセス）とＶＮＦ選択サーバ２３のプログラム（ルーチン或いはプロセス）との間で行われる。換言すれば、検索されたＰ−ＧＷアドレスは、情報処理装置１００内のＭＭＥ６ａに供給される。
【０１４５】
このように、情報処理装置１００にＭＭＥ６ａとＶＮＦ選択サーバ２３とが実装された場合でも、検索鍵に対応するＰ−ＧＷアドレス（第１キャリアの通信機器を示す情報）が検索され、ＵＥ１の通信経路を形成する装置（ＭＭＥ６ａ）に供給される。このことは、後述する他の運用例３−１，運用例７，運用例７−１においても当てはまる。
【０１４６】
＜＜運用例３−１＞＞
運用例３（図１９）では、手順３と手順５との２回ＨＳＳ７にアクセスしている。ＨＳＳ７へのアクセスを一回で済ませる運用例３の変形例を運用例３−１として図２０を用いて説明する。
【０１４７】
（手順１〜４）
図２０に示す手順１および手順２は、運用例３（図１９）の手順１および手順２と同じであるので説明を省略する。手順３および手順４は、運用例１−１（図１６）の手順３および手順４と同じであるので説明を省略する。
【０１４８】
（手順５，手順６）
ＭＭＥ６ａは、認証が成功した場合、既存の方法によりＳ−ＧＷ選択処理を行う（手順５）。また、ＨＳＳ７からの応答がＶＮＦの使用可を示す場合には、ＭＭＥ６ａは、ＶＮＦ選択サーバ２３として動作し、Ｐ−ＧＷ選択処理を行う（手順６）。Ｐ−ＧＷ選択処理の結果として、ＭＭＥ６ａは、第１キャリアＩＤおよびＡＰＮに対応するＰ−ＧＷアドレスを検索する。
【０１４９】
（手順７〜９）
ＭＭＥ６ａは、Ｓ−ＧＷ選択処理で得たＳ−ＧＷアドレスを持つＳ−ＧＷに、Ｐ−ＧＷアドレスを含む通信経路の確立要求を送信する（手順７）。手順８および手順９は、運用例３の手順８および９と同じであるので、説明を省略する。
【０１５０】
＜＜運用例４＞＞
運用例４として、第２キャリアのサービスエリアへの配備対象のＶＮＦがＰ−ＧＷおよびサービス網であり（図５）、ＶＮＦ選択サーバ２３をＤＮＳサーバ１３と同居させた（同一の情報処理装置１００に実装した）パターンにおけるローミング時の手順を説明する。図２１は、運用例４のローミング手順を示すシーケンス図である。
【０１５１】
（手順１〜４）
図２１において、手順１〜４は、運用例１における手順１〜４と同じであるので説明を省略する。
【０１５２】
（手順４Ａ，手順５）
ＭＭＥ６ａは、認証が成功した場合、既存の方法によりＳ−ＧＷ選択処理を行う（手順４Ａ）。また、ＭＭＥ６ａは、ＤＮＳサーバ１３に対し、Ｐ−ＧＷアドレスを要求するＶＮＦ選択要求を送信する。ＶＮＦ選択要求は、第１キャリアＩＤ，加入者ＩＤ，およびＡＰＮを含む。
【０１５３】
（手順６、手順７）
ＤＮＳサーバ１３（プロセッサ１０１）は、加入者ＩＤを含む加入者情報要求をＨＳＳ７に問い合わせる（手順６）。ＨＳＳ７は、加入者ＩＤを用いて判定したＶＮＦ使用可否（加入者情報応答）をＤＮＳサーバ１３に応答する（手順７）。
【０１５４】
（手順８〜１１）
ＤＮＳサーバ１３（プロセッサ１０１）は、ＨＳＳ７からの応答がＶＮＦの使用可を示す場合には、ＶＮＦ選択サーバ２３として動作し、第１キャリアＩＤおよびＡＰＮに対応するＰ−ＧＷアドレスを保存部２３２から検索する。ＤＮＳサーバ１３は、Ｐ−ＧＷアドレスをＭＭＥ６ａに送信（供給）する（手順８）。手順９〜１１は、運用例１の手順９〜１１と同じであるので説明を省略する。
【０１５５】
＜＜運用例４−１＞＞
運用例４では、手順３および手順６の２回ＨＳＳ７にアクセスしている。ＨＳＳ７へのアクセスを一回で済ませる運用例４の変形例を運用例４−１として図２２を用いて説明する。
【０１５６】
（手順１〜４）
図２２において、手順１および手順２は、運用例１（図１５）の手順１および手順２と同じであるので説明を省略する。また、手順３および４は、運用例１−１（図１６）の手順３および手順４と同じであるため説明を省略する。
【０１５７】
（手順４Ａ，手順５）
ＭＭＥ６ａは、ＨＳＳ７からの問い合わせ結果がＶＮＦの使用可を示す場合には、運用例４の手順４Ａおよび手順５と同じ手順４Ａおよび手順５を実施する。
【０１５８】
（手順６〜９）
ＤＮＳサーバ１３（プロセッサ１０１）は、ＶＮＦ選択要求に基づき、第１キャリアＩＤおよびＡＰＮに対応するＰ−ＧＷアドレスを保存部２３２から得てＭＭＥ６ａへ送る（手順６）。その後の手順７〜９は、運用例４における手順９〜１１と同じであるため説明を省略する。
【０１５９】
＜＜運用例５＞＞
運用例５として、配備対象のＶＮＦがＳ−ＧＷ, Ｐ−ＧＷ, サービス網であり（図６）、ＶＮＦ選択サーバが独立した装置である（情報処理装置１００に実装された）場合の運用例について説明する。図２３は、運用例５のローミング手順を示すシーケンス図である。
【０１６０】
（手順１〜４）
図２３において、手順１〜４は、運用例１における手順１〜４と同じであるので説明を省略する。
【０１６１】
（手順５）
認証結果を受信したＭＭＥ６ａは、認証が成功した場合、第１キャリアのＳ−ＧＷおよびＰ−ＧＷのＩＰアドレスの解決のために、ＶＮＦ選択サーバ２３にＶＮＦ選択要求のメッセージを送信する。ＶＮＦ選択要求は、選択対象のＶＮＦ種別がＳ−ＧＷおよびＰ−ＧＷである旨，第１キャリアＩＤ，加入者ＩＤ，およびＡＰＮを含む。また、ＶＮＦ選択要求は、第１キャリアのＳ−ＧＷ選択のために、ＴＡＣを含むことも考えられる。
【０１６２】
（手順６，手順７）
手順６および手順７は、運用例１の手順６および手順７と同じであるため説明を省略する。
【０１６３】
（手順８）
ＨＳＳ７からの応答を受信したＶＮＦ選択サーバ２３（プロセッサ１０１）は、ＨＳＳ７に対する問い合わせ結果、ＶＮＦが使用可であれば、問い合わせに含まれた選択対象のＶＮＦ種別に基づき、保存部２３２（データベース２３２Ｂ（図１２））を参照する。ＶＮＦ選択サーバ２３（プロセッサ１０１）は、問い合わせに含まれた第１キャリアＩＤおよびＡＰＮに対応するＰ−ＧＷのＩＰアドレス（Ｐ−ＧＷアドレス）をデータベース２３２Ｂから読み出す。また、ＶＮＦ選択サーバ２３（プロセッサ１０１）は、問い合わせに含まれた第１キャリアＩＤに対応するＳ−ＧＷのＩＰアドレス（Ｓ−ＧＷアドレス）をデータベース２３２Ｃ（図１３）から読み出す。そして、ＶＮＦ選択サーバ２３（プロセッサ１０１）は、Ｓ−ＧＷアドレスおよびＰ−ＧＷアドレスをＭＭＥ６ａに送信する。
【０１６４】
（手順９）
Ｓ−ＧＷアドレスおよびＰ−ＧＷアドレスを受信したＭＭＥ６ａは、受信したＳ−ＧＷアドレスを持つＳ−ＧＷ８Ａに対し、通信経路の確立要求のメッセージを送信する。この通信経路の確立要求は受信したＰ−ＧＷアドレスを含む。
【０１６５】
（手順１０，手順１１）
その後の手順１０および手順１１は、運用例１の手順１０および手順１１と同じであるため説明を省略する。
【０１６６】
＜＜運用例５−１＞＞
運用例５（図２３）では、手順３と手順６との２回ＨＳＳ７にアクセスしている。ＨＳＳ７へのアクセスを一回で済ませる運用例５の変形例を運用例５−１として図２４を用いて説明する。
【０１６７】
（手順１〜４）
図２４に示す手順１および手順２は、運用例５（図２３）と同じであるので説明を省略する。手順３および４は、運用例１−１（図１６）の手順３および手順４と同じであるため説明を省略する。
【０１６８】
（手順５）
ＨＳＳ７に対する問合せの結果、ＶＮＦが使用可である場合には、ＭＭＥ６ａは、図２３の手順５で送信するＶＮＦ選択要求をＶＮＦ選択サーバ２３に送信する。
【０１６９】
（手順６）
ＶＮＦ選択サーバ２３（プロセッサ１０１）は、問い合わせのあったＶＮＦについて、保存部２３２を参照し、第１キャリアＩＤおよびＡＰＮに対応するＰ−ＧＷアドレスを取得するとともに、第１キャリアＩＤに対応するＳ−ＧＷアドレスを取得する。ＶＮＦ選択
サーバ２３（プロセッサ１０１）は、Ｓ−ＧＷアドレスおよびＰ−ＧＷアドレスをＭＭＥ６ａに送信する。このように、運用例５−１では、ＶＮＦの使用可否の問い合わせが手順３で既に行われているため、運用例５における手順６および手順７の処理は行われない。
【０１７０】
（手順７〜９）
その後、手順７〜９として、運用例５（図２３）の手順９〜１１と同様の処理が実行される。これによって、ＵＥ１がサーバ３に対してデータを送信可能となる。
【０１７１】
＜＜運用例５−２＞＞
運用例５および運用例５−１の手順でデータ通信を開始したＵＥ１が第２キャリア網内を移動する（ハンドオーバする）場合の手順を図２５のシーケンス図を用いて説明する。
【０１７２】
（手順１）
ＵＥ１の移動手順（ハンドオーバ手順）がなされると、ＭＭＥ６ａは、ＵＥ１の移動に伴いＳ−ＧＷ８Ａの切替が必要か否かを判断するため、ＶＮＦ選択サーバ２３に対し、ＶＮＦ選択要求を送信する。ＶＮＦ選択要求は、ＶＮＦ種別（Ｓ−ＧＷ）,第１キャリアＩ
Ｄ，加入者ＩＤを含む。また、ＶＮＦ選択要求は、ＴＡＣを含むことも考えられる。
【０１７３】
（手順２）
ＶＮＦ選択要求を受信したＶＮＦ選択サーバ２３（プロセッサ１０１）は、ＶＮＦ選択要求に含まれた第１キャリアＩＤに対応するＳ−ＧＷアドレスを保存部２３２から読み出す。このとき、ＴＡＣを元に選択することも考えられる。そして、ＶＮＦ選択サーバ２３は、Ｓ−ＧＷアドレスをＭＭＥ６ａに送信する。
【０１７４】
（手順３）
ＭＭＥ６ａは、受信したＳ−ＧＷアドレスが以前のＳ−ＧＷアドレスから変更されている場合、Ｓ−ＧＷの切替が必要と判定する。この場合、ＭＭＥ６ａは、手順２で得たＳ−ＧＷアドレスを持つＳ−ＧＷ（Ｓ−ＧＷ８Ｂとする）に、通信経路の確立要求を送信する。確立要求は、Ｐ−ＧＷ９ＡのＰ−ＧＷアドレスを含む。
【０１７５】
（手順４）
Ｓ−ＧＷ８Ｂは、手順３で得たＰ−ＧＷアドレスを持つＰ−ＧＷ９Ａに、通信経路変更要求を送信する。その後、データ通信経路の変更処理が行われ、最終的に、ＵＥ１は、新たな（ハンドオーバ先の）基地局４ａおよびＳ−ＧＷ８Ｂを経由するデータ通信経路でサーバ３と通信することができる。
【０１７６】
＜＜運用例６＞＞
運用例６として、配備対象のＶＮＦがＳ−ＧＷ, Ｐ−ＧＷ, サービス網であり（図６）、ＶＮＦ選択サーバ２３がＨＳＳ７に同居した場合の運用例について説明する。図２６は、運用例６のローミング手順を示すシーケンス図である。
【０１７７】
（手順１〜４）
図２６において、手順１〜４は、運用例１の手順１〜４と同じであるので説明を省略する。
【０１７８】
（手順５）
ＭＭＥ６ａは、認証が成功した場合、既存の方法によりＳ−ＧＷ選択処理を行うとともに、ＨＳＳ７に対し、ＶＮＦ選択要求を送信する。ＶＮＦ選択要求は、ＶＮＦ種別（Ｓ−ＧＷ，Ｐ−ＧＷ）, 第１キャリアＩＤ, 加入者ＩＤ, およびＡＰＮを含む。また、Ｓ−ＧＷ選択のために、ＴＡＣを含むことも考えられる。
【０１７９】
（手順５Ａ，手順６）
ＨＳＳ７（プロセッサ１０１）は、加入者ＩＤに基づき加入者情報を検索し、加入者（ＵＥ１）のＶＮＦの使用可否を判定する（手順５Ａ）。ＶＮＦが使用可である場合、ＨＳＳ７（プロセッサ１０１）は、ＶＮＦ選択サーバ２３として動作し、保存部２３２を参照して第１キャリアＩＤおよびＡＰＮに対応するＰ−ＧＷアドレスと、第１キャリアＩＤに対応するＳ−ＧＷアドレスを検索する。Ｓ−ＧＷアドレスの選択にＴＡＣを用いることもあり得る。ＨＳＳ７は、得られたＳ−ＧＷアドレスおよびＰ−ＧＷアドレスをＭＭＥ６ａに送信する（手順６）。
【０１８０】
（手順７〜９）
運用例６の手順７〜９は、運用例１の手順９〜１１と同じであるので説明を省略する。運用例６は、運用例２について説明したような利点を得ることができる。
【０１８１】
＜＜運用例６−１＞＞
運用例６（図２６）では、手順３と手順５との２回ＨＳＳ７にアクセスしている。ＨＳＳ７へのアクセスを一回で済ませる運用例６の変形例を運用例６−１として図２７を用いて説明する。
【０１８２】
（手順１〜３）
図２７に示す手順１および手順２は、運用例６（図２６）と同じであるので説明を省略する。ＭＭＥ６ａは、ＵＥ１の認証要求とともにＶＮＦ選択要求をＨＳＳ７に送信する（手順３）。
【０１８３】
（手順３Ａ，手順４）
認証要求およびＶＮＦ選択要求を受信したＨＳＳ７（プロセッサ１０１）は、ＵＥ１の認証処理を行い、認証処理が成功すると、加入者ＩＤを元にＶＮＦの使用可否を判定する（手順３Ａ）。ＶＮＦが使用可である場合、ＨＳＳ７（プロセッサ１０１）は、ＶＮＦ選択サーバ２３として動作し、第１キャリアＩＤおよびＡＰＮに対応するＰ−ＧＷアドレスと第１キャリアＩＤに対応するＳ−ＧＷアドレスとを保存部２３２から取得する。ＨＳＳ７（プロセッサ１０１）は、Ｓ−ＧＷアドレスおよびＰ−ＧＷアドレスを含む応答メッセージ（認証応答＋ＶＮＦ選択応答）をＭＭＥ６ａに送る（手順４）。
【０１８４】
（手順５〜７）
手順５〜７は、例えば、運用例６における手順９〜１１と同じ処理であるので説明を省略する。
【０１８５】
＜＜運用例６−２＞＞
運用例６および運用例６−１の手順でデータ通信を開始したＵＥ１が第２キャリア網内を移動する（ハンドオーバする）場合の手順を図２８のシーケンス図を用いて説明する。
【０１８６】
（手順１）
ＵＥ１の移動手順（ハンドオーバ手順）がなされると、ＭＭＥ６ａは、ＵＥ１の移動に伴いＳ−ＧＷ８Ａの切替が必要か否かを判断するため、ＨＳＳ７に対し、ＶＮＦ選択要求を送信する。ＶＮＦ選択要求は、ＶＮＦ種別（Ｓ−ＧＷ）,第１キャリアＩＤ，加入者Ｉ
Ｄを含む。また、ＶＮＦ選択要求は、ＴＡＣを含むことも考えられる。
【０１８７】
（手順２）
ＶＮＦ選択要求を受信したＨＳＳ７（プロセッサ１０１）は、ＶＮＦ選択サーバ２３として動作し、ＶＮＦ選択要求に含まれた第１キャリアＩＤに対応するＳ−ＧＷアドレスを
保存部２３２から読み出す。このとき、ＴＡＣを元にＳ−ＧＷアドレスを選択することも考えられる。そして、ＨＳＳ７は、Ｓ−ＧＷアドレスをＭＭＥ６ａに送信する。
【０１８８】
（手順３）
ＭＭＥ６ａは、受信したＳ−ＧＷアドレスが以前のＳ−ＧＷアドレスから変更されている場合、Ｓ−ＧＷの切替が必要と判定する。この場合、ＭＭＥ６ａは、手順２で得たＳ−ＧＷアドレスを持つＳ−ＧＷ（Ｓ−ＧＷ８Ｂとする）に、通信経路の確立要求を送信する。確立要求は、Ｐ−ＧＷ９ＡのＰ−ＧＷアドレスを含む。
【０１８９】
（手順４）
Ｓ−ＧＷ８Ｂは、手順３で得たＰ−ＧＷアドレスを持つＰ−ＧＷ９Ａに、通信経路変更要求を送信する。その後、データ通信経路の変更処理が行われ、最終的に、ＵＥ１は、新たな（ハンドオーバ先の）基地局４ａおよびＳ−ＧＷ８Ｂを経由するデータ通信経路でサーバ３と通信することができる。
【０１９０】
＜＜運用例７＞＞
運用例７として、第２キャリアのサービスエリアに配備される対象のＶＮＦがＳ−ＧＷ，Ｐ−ＧＷ，サービス網であり（図６）、ＶＮＦ選択サーバ２３をＭＭＥ６ａと同居させた（同一の情報処理装置１００に実装した）パターンにおけるローミング時の手順を説明する。図２９は、運用例７のローミング手順を示すシーケンス図である。
【０１９１】
（手順１〜４）
図２９における手順１〜４は、運用例１（図１５）における手順１〜４と同じであるので説明を省略する。
【０１９２】
（手順５，手順６）
ＭＭＥ６ａ（プロセッサ１０１）は、認証が成功した場合、Ｓ−ＧＷおよびＰ−ＧＷ選択処理を行うため、加入者ＩＤを含む加入者情報要求をＨＳＳ７に問い合わせる（手順５）。ＨＳＳ７は、加入者ＩＤを元にＵＥ１のＶＮＦの使用可否を判定し、判定結果を加入者情報応答としてＭＭＥ６ａに送信する（手順６）。
【０１９３】
（手順７）
ＭＭＥ６ａ（プロセッサ１０１）は、ＨＳＳ７からの加入者情報応答がＶＮＦの使用可を示す場合、ＶＮＦ選択サーバ２３として動作し、第１キャリアＩＤおよびＡＰＮに対応するＰ−ＧＷアドレスを保存部２３２から検索する。また、ＭＭＥ６ａは、第１キャリアＩＤに対応するＳ−ＧＷアドレスを検索する。Ｓ−ＧＷアドレスは、ＴＡＣを元に検索する場合も考えられる。ＴＡＣの利用は以下の運用例においても同様である（逐一の説明は省略する）。そして、ＭＭＥ６ａ（プロセッサ１０１）は、保存部２３２から得たＳ−ＧＷアドレスを持つＳ−ＧＷに対し、通信経路の確立要求を送信する。通信経路の確立要求は、Ｐ−ＧＷアドレスを含む。
【０１９４】
（手順８，９）
手順８および手順９は、運用例１における手順１０および手順１１と同様であるので説明を省略する。運用例７は、運用例３と同様の利点を得ることができる。
【０１９５】
＜＜運用例７−１＞＞
運用例７（図２９）では、手順３と手順５との２回ＨＳＳ７にアクセスしている。ＨＳＳ７へのアクセスを一回で済ませる運用例７の変形例を運用例７−１として図３０を用いて説明する。
【０１９６】
（手順１〜４）
図３０に示す手順１および手順２は、運用例７（図２９）の手順１および手順２と同じであるので説明を省略する。手順３および手順４は、運用例１−１（図１６）の手順３および手順４と同じであるので説明を省略する。
【０１９７】
（手順５，手順６）
ＭＭＥ６ａは、ＨＳＳ７からの応答が認証の成功とＶＮＦ使用許可とを示す場合、ＶＮＦ選択サーバ２３として動作し、第１キャリアＩＤに対応するＳ−ＧＷアドレスを保存部２３２から検索する（手順５）。また、ＭＭＥ６ａは、ＶＮＦ選択サーバ２３として動作し、第１キャリアＩＤおよびＡＰＮに対応するＰ−ＧＷアドレスを保存部２３２から検索する（手順６）。
【０１９８】
（手順７〜９）
手順７〜９は、運用例７（図２９）における手順７〜９と同じであるので、説明を省略する。
【０１９９】
＜＜運用例７−２＞＞
運用例７および運用例７−１の手順でデータ通信を開始したＵＥ１が第２キャリア網内を移動する（ハンドオーバする）場合の手順を図３１のシーケンス図を用いて説明する。
【０２００】
（手順１）
ＵＥ１の移動手順（ハンドオーバ手順）がなされると、ＭＭＥ６ａは、ＵＥ１の移動に伴いＳ−ＧＷ８Ａの切替が必要か否かを判断するため、ＶＮＦ選択サーバ２３として動作し、第１キャリアＩＤに対応するＳ−ＧＷアドレスを保存部２３２から読み出す。ＭＭＥ６ａは、読み出したＳ−ＧＷアドレスが以前のＳ−ＧＷアドレスから変更されている場合、Ｓ−ＧＷの切替が必要と判定する。
【０２０１】
（手順２）
この場合、ＭＭＥ６ａは、手順１で得たＳ−ＧＷアドレスを持つＳ−ＧＷ（Ｓ−ＧＷ８Ｂとする）に、通信経路の確立要求を送信する。確立要求は、Ｐ−ＧＷ９ＡのＰ−ＧＷアドレスを含む。
【０２０２】
（手順３）
Ｓ−ＧＷ８Ｂは、手順３で得たＰ−ＧＷアドレスを持つＰ−ＧＷ９Ａに、通信経路変更要求を送信する。その後、データ通信経路の変更処理が行われ、最終的に、ＵＥ１は、新たな（ハンドオーバ先の）基地局４ａおよびＳ−ＧＷ８Ｂを経由するデータ通信経路でサーバ３と通信することができる。
【０２０３】
＜＜運用例８＞＞
運用例８として、配備対象のＶＮＦがＳ−ＧＷ，Ｐ−ＧＷ，サービス網であり（図６）、ＶＮＦ選択サーバ２３をＤＮＳサーバ１３と同居させた（同一の情報処理装置１００に実装した）パターンにおけるローミング時の手順を説明する。図３２は、運用例８のローミング手順を示すシーケンス図である。
【０２０４】
（手順１〜４）
図３２において、手順１〜４は、運用例１における手順１〜４と同じであるので説明を省略する。
【０２０５】
（手順５）
ＭＭＥ６ａは、認証が成功した場合、ＤＮＳサーバ１３に対し、Ｓ−ＧＷアドレスおよ
びＰ−ＧＷアドレスを要求するＶＮＦ選択要求を送信する。ＶＮＦ選択要求は、ＶＮＦ種別（Ｓ−ＧＷ，Ｐ−ＧＷ），第１キャリアＩＤ，加入者ＩＤ，およびＡＰＮを含む。
【０２０６】
（手順６、手順７）
ＤＮＳサーバ１３（プロセッサ１０１）は、加入者ＩＤを含む加入者情報要求をＨＳＳ７に問い合わせる（手順６）。ＨＳＳ７は、加入者ＩＤを用いて判定したＶＮＦ使用可否（加入者情報応答）をＤＮＳサーバ１３に応答する（手順７）。
【０２０７】
（手順８〜１１）
ＤＮＳサーバ１３（プロセッサ１０１）は、ＨＳＳ７からの応答がＶＮＦの使用可を示す場合には、ＶＮＦ選択サーバ２３として動作する。このとき、ＤＮＳサーバ１３（プロセッサ１０１）は、第１キャリアＩＤに対応するＳ−ＧＷアドレスを保存部２３２から検索する。また、ＤＮＳサーバ１３は、第１キャリアＩＤおよびＡＰＮに対応するＰ−ＧＷアドレスを保存部２３２から検索する。ＤＮＳサーバ１３は、Ｓ−ＧＷアドレスおよびＰ−ＧＷアドレスをＭＭＥ６ａに送信する（手順８）。手順９〜１１は、運用例１の手順９〜１１と同じであるので説明を省略する。
【０２０８】
＜＜運用例８−１＞＞
運用例８では、手順３および手順６の２回ＨＳＳ７にアクセスしている。ＨＳＳ７へのアクセスを一回で済ませる運用例８の変形例を運用例８−１として図３３のシーケンス図を用いて説明する。
【０２０９】
（手順１〜４）
図３３において、手順１および手順２は、運用例１（図１５）の手順１および手順２と同じであるので説明を省略する。また、手順３および４は、運用例１−１（図１６）の手順３および手順４と同じであるため説明を省略する。
【０２１０】
（手順５）
ＭＭＥ６ａは、ＨＳＳ７からの問い合わせ結果がＶＮＦの使用可を示す場合には、運用例８の手順５と同じ手順５を実施する。
【０２１１】
（手順６〜９）
ＤＮＳサーバ１３（プロセッサ１０１）は、ＶＮＦ選択要求に基づき、第１キャリアＩＤに対応するＳ−ＧＷアドレスと、第１キャリアＩＤおよびＡＰＮに対応するＰ−ＧＷアドレスとを保存部２３２から得てＭＭＥ６ａへ送る（手順６）。その後の手順７〜９は、運用例８における手順９〜１１と同じであるため説明を省略する。
【０２１２】
＜＜運用例８−２＞＞
運用例８および運用例８−１の手順でデータ通信を開始したＵＥ１が第２キャリア網内を移動する（ハンドオーバする）場合の手順を図３４のシーケンス図を用いて説明する。
【０２１３】
（手順１）
ＵＥ１の移動手順（ハンドオーバ手順）がなされると、ＭＭＥ６ａは、ＵＥ１の移動に伴いＳ−ＧＷ８Ａの切替が必要か否かを判断するため、ＤＮＳサーバ１３に対し、ＶＮＦ選択要求を送信する。ＶＮＦ選択要求は、ＶＮＦ種別（Ｓ−ＧＷ）,第１キャリアＩＤ，
加入者ＩＤを含む。
【０２１４】
（手順２）
ＶＮＦ選択要求を受信したＤＮＳサーバ１３（プロセッサ１０１）は、ＶＮＦ選択サーバ２３として動作し、ＶＮＦ選択要求に含まれた第１キャリアＩＤに対応するＳ−ＧＷア
ドレスを保存部２３２から読み出す。そして、ＤＮＳサーバ１３は、Ｓ−ＧＷアドレスをＭＭＥ６ａに送信する。
【０２１５】
（手順３）
ＭＭＥ６ａは、受信したＳ−ＧＷアドレスが以前のＳ−ＧＷアドレスから変更されている場合、Ｓ−ＧＷの切替が必要と判定する。この場合、ＭＭＥ６ａは、手順２で得たＳ−ＧＷアドレスを持つＳ−ＧＷ（Ｓ−ＧＷ８Ｂとする）に、通信経路の確立要求を送信する。確立要求は、Ｐ−ＧＷ９ＡのＰ−ＧＷアドレスを含む。
【０２１６】
（手順４）
Ｓ−ＧＷ８Ｂは、手順３で得たＰ−ＧＷアドレスを持つＰ−ＧＷ９Ａに、通信経路変更要求を送信する。その後、データ通信経路の変更処理が行われ、最終的に、ＵＥ１は、新たな（ハンドオーバ先の）基地局４ａおよびＳ−ＧＷ８Ｂを経由するデータ通信経路でサーバ３と通信することができる。
【０２１７】
＜＜運用例９＞＞
運用例９として、以下のような形態におけるローミング手順について説明する。配備対象のＶＮＦがＳ−ＧＷ，Ｐ−ＧＷ，サービス網である（図６）。また、ＶＮＦ選択サーバ２３として、Ｓ−ＧＷの選択用のＶＮＦ選択サーバ２３ａとＰ−ＧＷの選択用のＶＮＦ選択サーバ２３ｂとが用意されている。ＶＮＦ選択サーバ２３ａは、ＤＮＳサーバ１３として動作する情報処理装置１００に実装されている。また、ＶＮＦ選択サーバ２３ｂは、ＨＳＳ７として動作する情報処理装置１００に実装されている。図３５は、運用例９のローミング手順を示すシーケンス図である。
【０２１８】
（手順１〜４）
図３５において、運用例９の手順１〜４は、運用例１（図１５）の手順１〜４と同じであるので説明を省略する。
【０２１９】
（手順５）
ＭＭＥ６ａは、認証が成功した場合、ＤＮＳサーバ１３に、Ｓ−ＧＷアドレスを解決するため、ＶＮＦ選択要求を送信する。ＶＮＦ選択要求は、ＶＮＦ種別（Ｓ−ＧＷ）,第１
キャリアＩＤ, 加入者ＩＤを含む。
【０２２０】
（手順６，手順７）
運用例９の手順６および手順７は、運用例１（図１５）の手順６および手順７と同じであるので説明を省略する。
【０２２１】
（手順８）
ＤＮＳサーバ１３（プロセッサ１０１）は、ＨＳＳ７に対する問い合わせの結果がＶＮＦ使用可を示す場合には、ＶＮＦ選択サーバ２３ｂとして動作し、保存部２３２のデータベース２３２Ｃを検索し、第１キャリアＩＤに対応するＳ−ＧＷアドレスを読み出す。ＤＮＳサーバ１３は、検索したＳ−ＧＷアドレスをＭＭＥ６ａに送信する。
【０２２２】
（手順８ａ）
Ｓ−ＧＷアドレスを受信したＭＭＥ６ａは、ＨＳＳ７に対し、Ｐ−ＧＷアドレス解決のため、ＶＮＦ選択要求を送信する。ＶＮＦ選択要求は、ＶＮＦ種別（Ｐ−ＧＷ）,第１キ
ャリアＩＤ，加入者ＩＤおよびＡＰＮを含む。
【０２２３】
（手順８ｂ）
ＨＳＳ７（プロセッサ１０１）は、加入者ＩＤに基づき加入者情報を検索し、加入者（
ＵＥ１）のＶＮＦの使用可否を判定する（手順５Ａ）。ＶＮＦが使用可である場合、ＨＳＳ７（プロセッサ１０１）は、ＶＮＦ選択サーバ２３として動作し、保存部２３２のデータベース２３２Ｂを参照して第１キャリアＩＤおよびＡＰＮに対応するＰ−ＧＷアドレスを検索する。ＨＳＳ７は、得られたＰ−ＧＷアドレスをＭＭＥ６ａに送信する。
【０２２４】
（手順９）
Ｐ−ＧＷアドレスを受信したＭＭＥ６ａは、ＤＮＳサーバ１３（ＶＮＦ選択サーバ２３ａ）から受信したＳ−ＧＷアドレスを持つＳ−ＧＷ８Ａに対し、通信経路の確立要求のメッセージを送信する。この通信経路の確立要求はＰ−ＧＷアドレスを含む。
【０２２５】
（手順１０）
通信経路の確立要求を受信したＳ−ＧＷ８Ａは、Ｐ−ＧＷアドレスを有するＰ−ＧＷ９Ａに対し、通信経路の確立要求のメッセージを送信する。その後、Ｐ−ＧＷ９ＡとＡＰＮで指定したＵＥ１の接続先であるサービス網１０Ａとの通信経路が確立される。さらに、基地局４ａとＵＥ１との間で無線経路が確立される。
【０２２６】
その後の手順（呼確立の手順）は、運用例１と同様であるので説明を省略する。最終的に、ＵＥ１は、確立されたデータ通信経路を用いてサーバ３へデータを送ることができる（手順１１）。
【０２２７】
＜＜運用例９−１＞＞
運用例９では、手順３および手順６の２回ＨＳＳ７にアクセスしている。ＨＳＳ７へのアクセスを一回で済ませる運用例９の変形例を運用例９−１として図３６のシーケンス図を用いて説明する。
【０２２８】
（手順１〜４）
運用例９−１の手順１および手順２は、運用例１の手順１および手順２（図１５）と同じである。また、運用例９−１の手順３および手順４は、運用例２の手順３および手順４と同じである。このため、これらの手順１〜４の説明は省略する。
【０２２９】
（手順５）
ＭＭＥ６ａは、ＨＳＳ７に対する問い合わせ結果として、Ｐ−ＧＷアドレスと使用可否の結果とを受け取る。ＶＮＦの使用が許可されている場合には、ＭＭＥ６ａは、ＤＮＳサーバ１３（ＶＮＦ選択サーバ２３ａ）に、Ｓ−ＧＷアドレス解決のために、ＶＮＦ選択要求を送信する。ＶＮＦ選択要求は、ＶＮＦ種別（Ｓ−ＧＷ）,第１キャリアＩＤ, 加入者
ＩＤを含む。
【０２３０】
（手順６）
ＤＮＳサーバ１３は、ＶＮＦ選択サーバ２３ａとして動作し、保存部２３２（データベース２３２Ｃ）から第１キャリアに対応するＳ−ＧＷアドレスを読み出し、ＭＭＥ６ａへ送信する。
【０２３１】
（手順７〜９）
Ｓ−ＧＷアドレスを受信したＭＭＥ６ａは、このＳ−ＧＷアドレスを持つＳ−ＧＷ８Ａに対し、通信経路の確立要求のメッセージを送信する。この通信経路の確立要求はＰ−ＧＷアドレスを含む。以降の手順８および手順９は、運用例９と同じであるので説明を省略する。
【０２３２】
なお、上記した運用例９および９以外にも、ＶＮＦ選択サーバ２３ａとＶＮＦ選択サーバ２３ｂとをＨＳＳ７，ＤＮＳサーバ１３，ＭＭＥ６ａに分散配置する組み合わせが存在
する。但し、詳細な説明は省略する。
【０２３３】
＜実施形態の効果＞
実施形態によれば、ＵＥ１の第２キャリア網でのローミング時に、第１キャリアのＰ−ＧＷ９Ａおよびサービス網１０を経由しインターネット２（外部網）へ至るＵＥ１のデータ通信経路を形成することができる。これによって、ホームルーテッドの実施時における非効率なデータ通信経路が形成されるのを回避することができる。
【０２３４】
また、実施形態によれば、ＵＥ１で指定されたＡＰＮに対応するサービス網１０と接続されるＰ−ＧＷアドレスが選択される。これによって、ＵＥ１に対し、ホーム網に接続したときと同等のネットワークサービスを提供することができる。
【０２３５】
また、実施形態によれば、第２キャリア網にて第１キャリアのネットワーク設備を経由するデータ通信経路を形成することができるので、データ通信に対してホーム網で実施されているのと同等の制御や情報収集を実行することができる。
【０２３６】
なお、実施形態では３ＧＰＰの移動通信システムの一例として、ＬＴＥ網について説明したが、３ＧＰＰ、或いは他の標準化団体で規定された他の無線通信規格に基づく移動通信システムであっても良い。また、網は、携帯電話網に限られず、無線ＬＡＮ網であっても良い。要は、移動通信網が適合又は準拠する無線通信規格は限定されない。
【０２３７】
上述した実施形態の構成は、適宜組み合わせることができる。上述した実施形態は、以下の付記を開示する。以下の付記は、適宜組み合わせることができる。
【０２３８】
（付記１）第１キャリアの端末を収容する前記第１キャリアの通信機器を前記第１キャリアのサービスエリア外にある第２キャリアのサービスエリアに配置し、
情報処置装置が、
前記端末が前記第２キャリアのサービスエリアでデータ通信を行う場合に前記第１キャリアのサービスエリアを経由することなく前記第２キャリアのサービスエリアを経由して外部網に至る前記端末の通信経路を形成する前記第１キャリアの通信機器を示す情報を記憶し、
前記端末が前記第２キャリアのサービスエリアでデータ通信を行う場合に、前記記憶した前記第１キャリアの通信機器を示す情報の中から、前記端末に関係する鍵にて、前記通信経路を制御する装置で使用される前記第１キャリアの通信機器を示す情報を検索する、ことを含む情報処理装置の通信経路制御方法。（１）
【０２３９】
（付記２）前記検索鍵を用いて前記端末に所定のネットワークサービスを提供する前記通信経路を形成する前記第１キャリアの通信機器を示す情報を検索する
付記１に記載の情報処理装置の通信経路制御方法。（２）
【０２４０】
（付記３）前記装置から前記鍵を受信し、前記装置へ検索された前記第１キャリアの通信機器を示す情報を送信する
付記１または２に記載の情報処理装置の通信経路制御方法。（３）
【０２４１】
（付記４）前記装置から受信される前記端末の識別子を用いて前記端末による前記第１キャリアの通信機器の使用可否を判定する
付記１から３のいずれか１項に記載の情報処理装置の通信経路制御方法。（４）
【０２４２】
（付記５）前記端末の識別子を前記端末の加入者情報の管理装置に送信し、
前記管理装置から前記端末による前記第１キャリアの通信機器の使用可否を示す情報を
受信する
付記４に記載の情報処理装置の通信経路制御方法。（５）
【０２４３】
（付記６）前記端末の識別子と関連づけて予め記憶した前記端末の加入者情報に基づいて前記端末による前記第１キャリアの通信機器の使用可否を判定する
付記４に記載の情報処理装置の通信経路制御方法。（６）
【０２４４】
（付記７）前記装置から前記端末の識別子と前記鍵とを受信し、
前記端末の識別子を用いて判定した前記第１キャリアの通信機器の使用可否の結果が使用可であるときに前記鍵を用いて検索した前記第１キャリアの通信機器を示す情報を前記装置へ送信する
付記６に記載の情報処理装置の通信経路制御方法。（７）
【０２４５】
（付記８）前記装置から前記端末の認証要求をさらに受信し、
前記第１キャリアの通信機器を示す情報とともに、前記認証要求に対する前記端末の認証結果を示す情報を前記装置へ送信する
付記５に記載の情報処理装置の通信経路制御方法。
【０２４６】
（付記９）前記情報処理装置内の前記装置へ検索された前記第１キャリアの通信機器を示す情報を供給する
付記１または２に記載の情報処理装置の通信経路制御方法。（８）
【０２４７】
（付記１０）前記第１キャリアの通信機器を示す情報として、前記通信経路を前記第２キャリアのサービスエリアに設けられた前記第１キャリアのサービス網に接続する第１の通信機器の情報を検索する
付記１から９のいずれか１項に記載の情報処理装置の通信経路制御方法。（９）
【０２４８】
（付記１１）前記第１キャリアの通信機器を示す情報として、前記第１の通信機器に前記サービス網への接続を指示する第２の通信機器の情報を検索する
付記１０に記載の情報処理装置の通信経路制御方法。（１０）
【０２４９】
（付記１２）前記第２のサービスエリアに対する前記第１キャリアの通信機器の配置を制御する他の装置からそれぞれ受信される配置済みの前記第１キャリアの通信機器を示す情報と当該情報の検索鍵とを関連づけて記憶する
付記１から１１のいずれか１項に記載の情報処理装置の通信経路制御方法。
【０２５０】
（付記１３）前記検索鍵は、前記第１キャリアの識別子を含む
付記１から１２のいずれか１項に記載の情報処理装置の通信経路制御方法。
【０２５１】
（付記１４）前記検索鍵は、前記第１キャリアの識別子と前記サービス網の識別子とを含む
付記１０から１３のいずれか１項に記載の情報処理装置の通信経路制御方法。
【０２５２】
（付記１５）前記第１キャリアの通信機器は、仮想ネットワーク機能である
付記１から１３のいずれか１項に記載の情報処理装置の通信経路制御方法。（１１）
【０２５３】
（付記１６）端末が加入した第１キャリアのサービスエリア外にある第２キャリアのサービスエリアに配置され且つ前記端末が前記第２キャリアのサービスエリアでデータ通信を行う場合に前記第１キャリアのサービスエリアを経由することなく前記第２キャリアのサービスエリアを経由して外部網に至る前記端末の通信経路を形成する前記第１キャリアの
通信機器を示す情報を記憶する記憶装置と、
前記端末が前記第２キャリアのサービスエリアでデータ通信を行う場合に、前記記憶した前記第１キャリアの通信機器を示す情報の中から、前記端末に関係する鍵にて、前記通信経路を制御する装置で使用される前記第１キャリアの通信機器を示す情報を検索する制御装置と、
を含む情報処理装置。（１２）
【符号の説明】
【０２５４】
１・・・無線端末（ＵＥ）
２・・・インターネット
４，４ａ・・・無線基地局
５，５ａ・・・コア網
６，６ａ・・・ＭＭＥ
７・・・ＨＳＳ
８，８ａ，８Ａ・・・Ｓ−ＧＷ
９，９ａ，９Ａ・・・Ｐ−ＧＷ
１０，１０ａ，１０Ａ・・・サービス網
２２・・・運用システム
２３・・・ＶＮＦ選択サーバ
１０１・・・プロセッサ
１０２・・・主記憶装置
１０３・・・補助記憶装置
２３２・・・保存部
２３４・・・検索部
【図１】
2016103771.tif 000003
【図２】
2016103771.tif 000004
【図３】
2016103771.tif 000005
【図４】
2016103771.tif 000006
【図５】
2016103771.tif 000007
【図６】
2016103771.tif 000008
【図７】
2016103771.tif 000009
【図８】
2016103771.tif 000010
【図９】
2016103771.tif 000011
【図１０】
2016103771.tif 000012
【図１１】
2016103771.tif 000013
【図１２】
2016103771.tif 000014
【図１３】
2016103771.tif 000015
【図１４】
2016103771.tif 000016
【図１５】
2016103771.tif 000017
【図１６】
2016103771.tif 000018
【図１７】
2016103771.tif 000019
【図１８】
2016103771.tif 000020
【図１９】
2016103771.tif 000021
【図２０】
2016103771.tif 000022
【図２１】
2016103771.tif 000023
【図２２】
2016103771.tif 000024
【図２３】
2016103771.tif 000025
【図２４】
2016103771.tif 000026
【図２５】
2016103771.tif 000027
【図２６】
2016103771.tif 000028
【図２７】
2016103771.tif 000029
【図２８】
2016103771.tif 000030
【図２９】
2016103771.tif 000031
【図３０】
2016103771.tif 000032
【図３１】
2016103771.tif 000033
【図３２】
2016103771.tif 000034
【図３３】
2016103771.tif 000035
【図３４】
2016103771.tif 000036
【図３５】
2016103771.tif 000037
【図３６】
2016103771.tif 000038